(57)【要約】【課題】利用環境にふさわしい機能を、人が機能の設定をいちいち切り替えることなしに、容易に実現する。【解決手段】透過型の頭部装着型表示装置である。この頭部装着型表示装置は、画像を表示して前記頭部装着型表示装置を装着した利用者に画像を視認させるとともに、外景を透過し得る画像表示部と、前記頭部装着型表示装置の利用環境を判定する利用環境判定部（ステップＳ１１０、Ｓ１２０）と、前記判定された利用環境に応じて、前記頭部装着型表示装置に搭載された所定の機能の少なくとも一部を変更する処理制御部（ステップＳ１６０、Ｓ１７０）と、を備える。【選択図】図７
2019020738.tif 000002
【特許請求の範囲】
【請求項１】
透過型の頭部装着型表示装置であって、
画像を表示して前記頭部装着型表示装置を装着した利用者に画像を視認させるとともに、外景を透過し得る画像表示部と、
前記頭部装着型表示装置の利用環境を判定する利用環境判定部と、
前記判定された利用環境に応じて、前記頭部装着型表示装置に搭載された所定の機能の少なくとも一部を変更する処理制御部と、
を備える頭部装着型表示装置。
【請求項２】
請求項１に記載の頭部装着型表示装置であって、
前記利用環境は、前記頭部装着型表示装置が移動することによって切り替わる利用環境である、頭部装着型表示装置。
【請求項３】
請求項１または請求項２に記載の頭部装着型表示装置であって、
撮影を行う撮影部を備え、
前記利用環境判定部は、
前記撮影部によって得られた撮影画像に基づいて、前記利用環境を判定する、頭部装着型表示装置。
【請求項４】
請求項３に記載の頭部装着型表示装置であって、
前記利用環境判定部は、
前記撮影部によって得られた撮影画像内に、特定の利用環境を認識するためのマーカーが含まれたときに、前記特定の利用環境であると判定する、頭部装着型表示装置。
【請求項５】
請求項１または請求項２に記載の頭部装着型表示装置であって、
前記利用環境判定部は、
外部の無線通信端末からの信号に基づいて、前記利用環境を判定する、頭部装着型表示装置。
【請求項６】
請求項１から請求項５までのいずれか一項に記載の頭部装着型表示装置であって、
前記所定の機能は、カメラ部によって望遠撮影を行う望遠撮影機能である、頭部装着型表示装置。
【請求項７】
請求項６に記載の頭部装着型表示装置であって、
前記利用環境として、競技場内の特定の座席環境を少なくとも含み、
前記処理制御部は、
前記利用環境判定部によって前記特定の座席環境であると判定されたときに、前記望遠撮影機能をオンして前記カメラ部による望遠撮影を行う、頭部装着型表示装置。
【請求項８】
請求項７に記載の頭部装着型表示装置であって、
前記頭部装着型表示装置が前記競技場外に移動したことが検出されたときに、前記望遠撮影によって記録された撮影画像を消去する消去部を備える、頭部装着型表示装置。
【請求項９】
請求項１から請求項５までのいずれか一項に記載の頭部装着型表示装置であって、
前記処理制御部は、
前記利用環境判定部によって所定の利用環境であると判定されたときに、所定のデータを取得して記憶部に保存し、
前記利用環境判定部によって前記所定の利用環境から外れたと判定されたときに、前記所定の利用環境で前記記憶部に保存された前記所定のデータを消去する、頭部装着型表示装置。
【請求項１０】
請求項１から請求項５までのいずれか一項に記載の頭部装着型表示装置であって、
前記所定の機能は、前記画像表示部に所定の情報を表示させる情報提示機能である、頭部装着型表示装置。
【請求項１１】
請求項１０に記載の頭部装着型表示装置であって、
前記利用環境として、劇場内の特定の座席環境を少なくとも含み、
前記処理制御部は、
前記利用環境判定部によって前記特定の座席環境であると判定されたときに、前記劇場での上演作品に係わる情報を前記所定の情報として表示させる、頭部装着型表示装置。
【請求項１２】
請求項１０に記載の頭部装着型表示装置であって、
前記利用環境として、映画館内の特定の座席環境を少なくとも含み、
前記処理制御部は、
前記利用環境判定部によって前記特定の座席環境であると判定されたときに、字幕を前記所定の情報として表示させる、頭部装着型表示装置。
【請求項１３】
請求項１２に記載の頭部装着型表示装置であって、
前記映画館内の特定の座席環境として、第１の座標環境と第２の座標環境とを有し、
前記処理制御部は、
前記利用環境判定部によって前記第１の座席環境であると判定されたときに、第１の言語にて記した前記字幕を表示させ、前記利用環境判定部によって前記第２の座席環境であると判定されたときに、前記第１の言語とは相違する第２の言語にて記した前記字幕を表示させる、頭部装着型表示装置。
【請求項１４】
請求項１から請求項５までのいずれか一項に記載の頭部装着型表示装置であって、
前記利用環境として、高レベルのセキュリティーを必要とするセキュリティー環境を少なくとも含み、
前記処理制御部は、
前記利用環境判定部によって前記セキュリティー環境であると判定されたときに、所定のアプリケーションの実行を許可し、前記利用環境判定部によって前記セキュリティー環境でないと判定されたときに、前記所定のアプリケーションの実行を禁止する、頭部装着型表示装置。
【請求項１５】
画像を表示して利用者に画像を視認させるとともに外景を透過し得る画像表示部を有する透過型の頭部装着型表示装置の制御方法であって、
前記頭部装着型表示装置の利用環境を判定し、
前記判定された利用環境に応じて、前記頭部装着型表示装置に搭載された所定の機能の少なくとも一部を変更する、頭部装着型表示装置の制御方法。
【請求項１６】
画像を表示して利用者に画像を視認させるとともに外景を透過し得る画像表示部を有する透過型の頭部装着型表示装置を制御するためのコンピュータープログラムであって、
コンピューターに、
前記頭部装着型表示装置の利用環境を判定する機能と、
前記判定された利用環境に応じて、前記頭部装着型表示装置に搭載された所定の機能の少なくとも一部を変更する機能と、
を実現させる、コンピュータープログラム。
【発明の詳細な説明】
【技術分野】
【０００１】
本発明は、頭部装着型表示装置およびその制御方法、並びにコンピュータープログラムに関する。
【背景技術】
【０００２】
近年、頭部に装着する表示装置である頭部装着型表示装置が知られている。この頭部装着型表示装置は、ヘッドマウントディスプレイ（ＨＭＤ：Head Mounted Display）とも呼ばれ、利用者がＨＭＤを装着した状態で外景を見ることが可能なシースルー型のものがある。シースルー型ＨＭＤは、液晶パネル等の光変調素子によって生成された画像光を、利用者の眼前に配置した光学系等で反射させることによって、利用者の視野領域に外景（実像）とともに、虚像としての画像を表示する（例えば、特許文献１）。
【先行技術文献】
【特許文献】
【０００３】
【特許文献１】特開２０１０−１３９９０１号公報
【発明の概要】
【発明が解決しようとする課題】
【０００４】
従来、シースルー型ＨＭＤでは、前記画像を表示する機能を始めとして、様々な機能を搭載するものが提案されている。様々な機能としては、カメラを用いた撮影機能、音声を出力する機能等、種々のものがある。これらの機能を常時動作させてよいか、という点について、十分に検討されていないという課題があった。そのほか、従来の頭部装着型表示装置においては、利用者の利便性の向上や、検出精度の向上、盗撮等の悪意の使用の防止、装置構成のコンパクト化、低コスト化、省資源化、製造の容易化等が望まれていた。
【課題を解決するための手段】
【０００５】
本発明は、上述の課題の少なくとも一部を解決するためになされたものであり、以下の形態として実現することが可能である。
【０００６】
（１）本発明の一形態は、透過型の頭部装着型表示装置である。この頭部装着型表示装置は、画像を表示して前記頭部装着型表示装置を装着した利用者に画像を視認させるとともに、外景を透過し得る画像表示部と、前記頭部装着型表示装置の利用環境を判定する利用環境判定部と、前記判定された利用環境に応じて、前記頭部装着型表示装置に搭載された所定の機能の少なくとも一部を変更する処理制御部と、を備えてよい。この形態の頭部装着型表示装置によれば、利用者に装着された頭部装着型表示装置の利用環境に応じて、頭部装着型表示装置に搭載された所定の機能の少なくとも一部を変更してもよい。このために、利用環境に応じて、頭部装着型表示装置に搭載された所定の機能の少なくとも一部が抑制または拡張するといった変更がなされる。したがって、本形態の頭部装着型表示装置によれば、利用環境に対応した機能を容易に実現できる。
【０００７】
（２）前記形態の頭部装着型表示装置において、前記利用環境は、前記頭部装着型表示装置が移動することによって切り替わる利用環境であるようにしてもよい。透過型の頭部装着型表示装置によれば、利用者は装着したまま自由に移動することができることから、利用環境が変化し易い。したがって、本形態の頭部装着型表示装置によれば、変化しやすい利用環境に対応した機能を容易に実現できる。
【０００８】
（３）前記形態の頭部装着型表示装置において、撮影を行う撮影部を備え、前記利用環境判定部は、前記撮影部によって得られた撮影画像に基づいて、前記利用環境を判定するようにしてもよい。撮影部は頭部装着型表示装置に備えられていることから、利用者の頭部の移動に伴って撮影範囲も移動する。このために、撮影部によって得られた撮影画像から、利用環境の変化を容易に検出することができる。
【０００９】
（４）前記形態の頭部装着型表示装置において、前記利用環境判定部は、前記撮影部によって得られた撮影画像内に、特定の利用環境を認識するためのマーカーが含まれたときに、前記特定の利用環境であると判定するものとするようにしてもよい。この形態の頭部装着型表示装置によれば、マーカーを撮影することで、利用環境の変化を容易に検出することができる。
【００１０】
（５）前記形態の頭部装着型表示装置において、前記利用環境判定部は、外部の無線通信端末からの信号に基づいて、前記利用環境を判定するようにしてもよい。この形態の頭部装着型表示装置によれば、利用環境を容易に検出することができる。
【００１１】
（６）前記形態の頭部装着型表示装置において、前記所定の機能は、カメラ部によって望遠撮影を行う望遠撮影機能であるようにしてもよい。この形態の頭部装着型表示装置によれば、カメラ部による望遠撮影機能を抑制または拡張することができる。したがって、利用環境によって望遠撮影の態様に容易に切り替えることができる。
【００１２】
（７）前記形態の頭部装着型表示装置において、前記利用環境として、競技場内の特定の座席環境を少なくとも含み、前記処理制御部は、前記利用環境判定部によって前記特定の座席環境であると判定されたときに、前記望遠撮影機能をオンして前記カメラ部による望遠撮影を行うようにしてもよい。この形態の頭部装着型表示装置によれば、競技場内の特定の座席環境において自動的に望遠撮影がなされることから、利用者は、その望遠撮影によって記録された撮影画像を自由に再生することが可能となる。したがって、競技場内の特定の座席環境における利用者の利便性を高めることができる。
【００１３】
（８）前記形態の頭部装着型表示装置において、前記頭部装着型表示装置が前記競技場外に移動したことが検出されたときに、前記望遠撮影によって記録された撮影画像を消去する消去部を備えるようにしてもよい。この形態の頭部装着型表示装置によれば、競技場内の特定の座席環境で撮影された撮影画像が、競技場外に持ち出されることを防止することができる。
【００１４】
（９）前記形態の頭部装着型表示装置において、前記処理制御部は、前記利用環境判定部によって所定の利用環境であると判定されたときに、所定のデータを取得して記憶部に保存し、前記利用環境判定部によって前記所定の利用環境から外れたと判定されたときに、前記所定の利用環境で前記記憶部に保存された前記所定のデータを消去するようにしてもよい。この形態の頭部装着型表示装置によれば、所定の利用環境で保存された所定のデータを、所定の利用環境から外れたときに、消去できる。このために、この形態の頭部装着型表示装置によれば、所定のデータの利用範囲を所定の利用環境下に制限することができることから、セキュリティーの向上を図ることができる。
【００１５】
（１０）前記形態の頭部装着型表示装置において、前記所定の機能は、前記画像表示部に所定の情報を表示させる情報提示機能であるようにしてもよい。この形態の頭部装着型表示装置によれば、画像表示部に所定の情報を表示させる情報提示機能を抑制または拡張することができる。したがって、その場にふさわしい情報提示を容易に行うことができる。
【００１６】
（１１）前記形態の頭部装着型表示装置において、前記利用環境として、劇場内の特定の座席環境を少なくとも含み、前記処理制御部は、前記利用環境判定部によって前記特定の座席環境であると判定されたときに、前記劇場で演じられている劇についての案内情報を前記所定の情報として表示させるようにしてもよい。この形態の頭部装着型表示装置によれば、劇場内の特定の座席環境に移行したときに、劇場で演じられている劇についての案内情報を画像表示により利用者に示すことができる。したがって、劇についての情報提示を容易に行うことができる。
【００１７】
（１２）前記形態の頭部装着型表示装置において、前記利用環境として、映画館内の特定の座席環境を少なくとも含み、前記処理制御部は、前記利用環境判定部によって前記特定の座席環境であると判定されたときに、字幕を前記所定の情報として表示させるようにしてもよい。この形態の頭部装着型表示装置によれば、映画館内の特定の座席環境に移行したときに、上映されている映画の字幕を画像表示により利用者に示すことができる。したがって、字幕についての情報提示を容易に行うことができる。
【００１８】
（１３）前記形態の頭部装着型表示装置において、前記映画館内の特定の座席環境として、第１の座標環境と第２の座標環境とを有し、前記処理制御部は、前記利用環境判定部によって前記第１の座席環境であると判定されたときに、第１の言語にて記した前記字幕を表示させ、前記利用環境判定部によって前記第２の座席環境であると判定されたときに、前記第１の言語とは相違する第２の言語にて記した前記字幕を表示させるようにしてもよい。この形態の頭部装着型表示装置によれば、映画館内の第１の座席環境に移行したときに第１の言語によって字幕を受けることができ、映画館内の第２の座席環境に移行したときに第２の言語によって字幕を受けることができる。したがって、座席環境に応じて、字幕の言語を容易に切り替えることができる。
【００１９】
（１４）前記形態の頭部装着型表示装置において、前記利用環境として、高レベルのセキュリティーを必要とするセキュリティー環境を少なくとも含み、前記処理制御部は、前記利用環境判定部によって前記セキュリティー環境であると判定されたときに、所定のアプリケーションの実行を許可し、前記利用環境判定部によって前記セキュリティー環境でないと判定されたときに、前記所定のアプリケーションの実行を禁止するようにしてもよい。この形態の頭部装着型表示装置によれば、高レベルのセキュリティーを必要とするセキュリティー環境に移行したときに、所定のアプリケーションの実行が許可され、前記セキュリティー環境にないときには、前記所定のアプリケーションの実行が禁止される。したがって、セキュリティー環境に応じて、所定のアプリケーションの実行の許可／禁止を容易に切り替えることができる。
【００２０】
上述した本発明の各形態の有する複数の構成要素はすべてが必須のものではなく、上述の課題の一部または全部を解決するため、あるいは、本明細書に記載された効果の一部または全部を達成するために、適宜、前記複数の構成要素の一部の構成要素について、その変更、削除、新たな他の構成要素との差し替え、限定内容の一部削除を行なうことが可能である。また、上述の課題の一部または全部を解決するため、あるいは、本明細書に記載された効果の一部または全部を達成するために、上述した本発明の一形態に含まれる技術的特徴の一部または全部を上述した本発明の他の形態に含まれる技術的特徴の一部または全部と組み合わせて、本発明の独立した一形態とすることも可能である。
【００２１】
例えば、本発明の一形態は、画像表示部と、利用環境判定部と、処理制御部と、の３つの要素の内の一つ以上または全部の要素を備えた装置として実現可能である。すなわち、この装置は、画像表示部を有していてもよく、有していなくてもよい。また、装置は、利用環境判定部を有していてもよく、有していなくてもよい。また、装置は、処理制御部を有していてもよく、有していなくてもよい。画像表示部は、例えば、画像を表示して頭部装着型表示装置を装着した利用者に画像を視認させるとともに、外景を透過し得るものとしてもよい。利用環境判定部は、例えば、頭部装着型表示装置の利用環境を判定してもよい。処理制御部は、例えば、判定された利用環境に応じて、頭部装着型表示装置に搭載された所定の機能の少なくとも一部を変更してもよい。こうした装置は、例えば、頭部装着型表示装置として実現できるが、頭部装着型表示装置以外の他の装置としても実現可能である。このような形態によれば、利用者の利便性の向上や、検出精度の向上、盗撮等の悪意の使用の防止、装置構成のコンパクト化、低コスト化、省資源化、製造の容易化等の種々の課題の少なくとも１つを解決することができる。前述した頭部装着型表示装置の各形態の技術的特徴の一部または全部は、いずれもこの装置に適用することが可能である。
【００２２】
本発明は、頭部装着型表示装置以外の種々の形態で実現することも可能である。例えば、表示装置、頭部装着型表示装置および表示装置の制御方法、頭部装着型表示システム、表示装置、頭部装着型表示システムおよび表示装置の機能を実現するためのコンピュータープログラム、そのコンピュータープログラムを記録した記録媒体、そのコンピュータープログラムを含み搬送波内に具現化されたデータ信号等の形態で実現できる。
【図面の簡単な説明】
【００２３】
【図１】第１実施形態における頭部装着型表示装置（ＨＭＤ）の概略構成を示す説明図である。
【図２】ＨＭＤの構成を機能的に示すブロック図である。
【図３】利用者に視認される虚像の一例を示す説明図である。
【図４】ＨＭＤのプラットフォームの説明図である。
【図５】第１実施形態に係わるサッカー観戦用チケットを示す説明図である。
【図６】サッカー観戦用チケットに視線を向けてＱＲコードの読み取りがなされたときに利用者に視認される情報の一例を示す説明図である。
【図７】観戦補助ルーチンの詳細を示すフローチャートである。
【図８】撮影動画を再生したときに利用者に視認される情報の一例を示す説明図である。
【図９】第２実施形態に係るＨＭＤの使用形態を示す説明図である。
【図１０】第２実施形態における鑑賞補助ルーチンの詳細を示すフローチャートである。
【図１１】第３実施形態に係るＨＭＤの使用形態を示す説明図である。
【図１２】第３実施形態における鑑賞補助ルーチンの詳細を示すフローチャートである。
【図１３】第４実施形態に係るＨＭＤの使用形態を示す説明図である。
【図１４】変形例におけるＨＭＤの外観の構成を示す説明図である。
【発明を実施するための形態】
【００２４】
Ａ．第１実施形態：
Ａ−１．頭部装着型表示装置の構成：
図１は、本発明の第１実施形態における頭部装着型表示装置の概略構成を示す説明図である。頭部装着型表示装置１００は、頭部に装着する表示装置であり、ヘッドマウントディスプレイ（Head Mounted Display、ＨＭＤ）とも呼ばれる。ＨＭＤ１００は、利用者が、虚像を視認すると同時に外景も直接視認可能な光学透過型のヘッドマウントディスプレイであり、本実施形態では、競技（例えば、サッカー）観戦用として用いられる。
【００２５】
ＨＭＤ１００は、利用者の頭部に装着された状態において利用者に虚像を視認させる画像表示部２０と、画像表示部２０を制御する制御部（コントローラー）１０とを備えている。
【００２６】
画像表示部２０は、利用者の頭部に装着される装着体であり、本実施形態では眼鏡形状を有している。画像表示部２０は、右保持部２１と、右表示駆動部２２と、左保持部２３と、左表示駆動部２４と、右光学像表示部２６と、左光学像表示部２８と、を含んでいる。右光学像表示部２６および左光学像表示部２８は、それぞれ、利用者が画像表示部２０を装着した際に利用者の右および左の眼前に位置するように配置されている。右光学像表示部２６の一端と左光学像表示部２８の一端とは、利用者が画像表示部２０を装着した際の利用者の眉間に対応する位置で、互いに接続されている。
【００２７】
右保持部２１は、右光学像表示部２６の他端である端部ＥＲから、利用者が画像表示部２０を装着した際の利用者の側頭部に対応する位置にかけて、延伸して設けられた部材である。同様に、左保持部２３は、左光学像表示部２８の他端である端部ＥＬから、利用者が画像表示部２０を装着した際の利用者の側頭部に対応する位置にかけて、延伸して設けられた部材である。右保持部２１および左保持部２３は、眼鏡のテンプル（つる）のようにして、利用者の頭部に画像表示部２０を保持する。
【００２８】
右表示駆動部２２は、右保持部２１の内側、換言すれば、利用者が画像表示部２０を装着した際の利用者の頭部に対向する側に配置されている。また、左表示駆動部２４は、左保持部２３の内側に配置されている。なお、以降では、右保持部２１および左保持部２３を区別せず「保持部」として説明する。同様に、右表示駆動部２２および左表示駆動部２４を区別せず「表示駆動部」として説明し、右光学像表示部２６および左光学像表示部２８を区別せず「光学像表示部」として説明する。
【００２９】
表示駆動部は、液晶ディスプレイ（Liquid Crystal Display、以下「ＬＣＤ」と呼ぶ）２４１、２４２や投写光学系２５１、２５２等を含む（図２参照）。表示駆動部の構成の詳細は後述する。光学部材としての光学像表示部は、導光板２６１、２６２（図２参照）と調光板とを含んでいる。導光板２６１、２６２は、光透過性の樹脂材料等によって形成され、表示駆動部から出力された画像光を利用者の眼に導く。調光板は、薄板状の光学素子であり、画像表示部２０の表側（利用者の眼の側とは反対の側）を覆うように配置されている。調光板は、導光板２６１、２６２を保護し、導光板２６１、２６２の損傷や汚れの付着等を抑制する。また、調光板の光透過率を調整することによって、利用者の眼に入る外光量を調整して虚像の視認のしやすさを調整することができる。なお、調光板は省略可能である。
【００３０】
画像表示部２０は、さらに、画像表示部２０を制御部１０に接続するための接続部４０を有している。接続部４０は、制御部１０に接続される本体コード４８と、本体コード４８が２本に分岐した右コード４２および左コード４４と、分岐点に設けられた連結部材４６と、を含んでいる。右コード４２は、右表示駆動部２２に接続され、左コード４４は、左表示駆動部２４に接続されている。連結部材４６には、イヤホンプラグ３０を接続するためのジャックが設けられている。イヤホンプラグ３０からは、右イヤホン３２および左イヤホン３４が延伸している。
【００３１】
画像表示部２０と制御部１０とは、接続部４０を介して各種信号の伝送を行う。本体コード４８における連結部材４６と反対側の端部と、制御部１０とのそれぞれには、互いに嵌合するコネクター（図示省略）が設けられており、本体コード４８のコネクターと制御部１０のコネクターとの嵌合／嵌合解除により、制御部１０と画像表示部２０とが接続されたり切り離されたりする。右コード４２と、左コード４４と、本体コード４８には、例えば、金属ケーブルや光ファイバーを採用することができる。
【００３２】
制御部１０は、ＨＭＤ１００を制御するための装置である。制御部１０は、点灯部１２と、タッチパッド１４と、十字キー１６と、電源スイッチ１８とを含んでいる。点灯部１２は、ＨＭＤ１００の動作状態（例えば、電源のＯＮ／ＯＦＦ等）を、その発光態様によって通知する。点灯部１２としては、例えば、ＬＥＤ（Light Emitting Diode）を用いることができる。タッチパッド１４は、タッチパッド１４の操作面上での接触操作を検出して、検出内容に応じた信号を出力する。タッチパッド１４としては、静電式や圧力検出式、光学式といった種々のタッチパッドを採用することができる。十字キー１６は、上下左右方向に対応するキーへの押下操作を検出して、検出内容に応じた信号を出力する。電源スイッチ１８は、スイッチのスライド操作を検出することで、ＨＭＤ１００の電源の状態を切り替える。
【００３３】
図２は、ＨＭＤ１００の構成を機能的に示すブロック図である。制御部１０は、入力情報取得部１１０と、記憶部１２０と、電源１３０と、無線通信部１３２と、ＧＰＳモジュール１３４と、ＣＰＵ１４０と、インターフェイス１８０と、送信部（Ｔｘ）５１および５２とを備え、各部は図示しないバスにより相互に接続されている。
【００３４】
入力情報取得部１１０は、例えば、タッチパッド１４や十字キー１６、電源スイッチ１８などに対する操作入力に応じた信号を取得する。記憶部１２０は、ＲＯＭ、ＲＡＭ、ＤＲＡＭ、ハードディスク等によって構成されている。
【００３５】
電源１３０は、ＨＭＤ１００の各部に電力を供給する。電源１３０としては、例えば、リチウムポリマーバッテリー、リチウムイオンバッテリーなどの二次電池を用いることができる。さらに、二次電池に替えて、一次電池や燃料電池でもよいし、無線給電を受けて動作するようにしてもよい。さらには、太陽電池とキャパシターから給電を受けるようにしてもよい。無線通信部１３２は、無線ＬＡＮやＢｌｕｅｔｏｏｔｈ（登録商標）、ｉＢｅａｃｏｎ（登録商標）といった所定の無線通信規格に則って、他の機器との間で無線通信を行う。ＧＰＳモジュール１３４は、ＧＰＳ衛星からの信号を受信することにより、自身の現在位置を検出する。
【００３６】
ＣＰＵ１４０は、記憶部１２０に格納されているコンピュータープログラムを読み出して実行することにより、オペレーティングシステム（ОＳ）１５０、画像処理部１６０、表示制御部１６２、利用環境判定部１６４、処理制御部１６６、音声処理部１７０、ｉＢｅａｃｏｎ処理部１７２、として機能する。
【００３７】
画像処理部１６０は、インターフェイス１８０や無線通信部１３２を介して入力されるコンテンツ（映像）に基づいて信号を生成する。そして、画像処理部１６０は、生成した信号を、接続部４０を介して画像表示部２０に供給することで、画像表示部２０を制御する。画像表示部２０に供給するための信号は、アナログ形式とディジタル形式の場合で異なる。アナログ形式の場合、画像処理部１６０は、クロック信号ＰＣＬＫと、垂直同期信号ＶＳｙｎｃと、水平同期信号ＨＳｙｎｃと、画像データＤａｔａとを生成し、送信する。具体的には、画像処理部１６０は、コンテンツに含まれる画像信号を取得する。取得した画像信号は、例えば動画像の場合、一般的に１秒あたり３０枚のフレーム画像から構成されているアナログ信号である。画像処理部１６０は、取得した画像信号から垂直同期信号ＶＳｙｎｃや水平同期信号ＨＳｙｎｃ等の同期信号を分離し、それらの周期に応じて、ＰＬＬ回路等によりクロック信号ＰＣＬＫを生成する。画像処理部１６０は、同期信号が分離されたアナログ画像信号を、Ａ／Ｄ変換回路等を用いてディジタル画像信号に変換する。画像処理部１６０は、変換後のディジタル画像信号を、ＲＧＢデータの画像データＤａｔａとして、１フレームごとに記憶部１２０内のＤＲＡＭに格納する。
【００３８】
一方、ディジタル形式の場合、画像処理部１６０は、クロック信号ＰＣＬＫと、画像データＤａｔａとを生成し、送信する。具体的には、コンテンツがディジタル形式の場合、クロック信号ＰＣＬＫが画像信号に同期して出力されるため、垂直同期信号ＶＳｙｎｃおよび水平同期信号ＨＳｙｎｃの生成と、アナログ画像信号のＡ／Ｄ変換とが不要となる。なお、画像処理部１６０は、記憶部１２０に格納された画像データＤａｔａに対して、解像度変換処理や、輝度、彩度の調整といった種々の色調補正処理や、キーストーン補正処理等の画像処理を実行してもよい。
【００３９】
画像処理部１６０は、生成されたクロック信号ＰＣＬＫ、垂直同期信号ＶＳｙｎｃ、水平同期信号ＨＳｙｎｃと、記憶部１２０内のＤＲＡＭに格納された画像データＤａｔａとを、送信部５１、５２を介してそれぞれ送信する。なお、送信部５１を介して送信される画像データＤａｔａを「右眼用画像データＤａｔａ１」とも呼び、送信部５２を介して送信される画像データＤａｔａを「左眼用画像データＤａｔａ２」とも呼ぶ。送信部５１、５２は、制御部１０と画像表示部２０との間におけるシリアル伝送のためのトランシーバーとして機能する。
【００４０】
表示制御部１６２は、右表示駆動部２２および左表示駆動部２４を制御する制御信号を生成する。具体的には、表示制御部１６２は、制御信号により、右ＬＣＤ制御部２１１による右ＬＣＤ２４１の駆動ＯＮ／ＯＦＦや、右バックライト制御部２０１による右バックライト２２１の駆動ＯＮ／ＯＦＦ、左ＬＣＤ制御部２１２による左ＬＣＤ２４２の駆動ＯＮ／ＯＦＦや、左バックライト制御部２０２による左バックライト２２２の駆動ＯＮ／ＯＦＦなどを個別に制御することにより、右表示駆動部２２および左表示駆動部２４のそれぞれによる画像光の生成および射出を制御する。表示制御部１６２は、右ＬＣＤ制御部２１１と左ＬＣＤ制御部２１２とに対する制御信号を、送信部５１および５２を介してそれぞれ送信する。同様に、表示制御部１６２は、右バックライト制御部２０１と左バックライト制御部２０２とに対する制御信号を、それぞれ送信する。
【００４１】
利用環境判定部１６４は、利用者の頭部に装着されたＨＭＤ１００が移動することによって切り替わる移動環境を判定する。処理制御部１６６は、ＨＭＤ１００に搭載された種々の機能の内の所定の機能の少なくとも一部を変更する。所定の機能は一つの機能でも複数の機能であってもよいが、第１実施形態では一つの機能である。利用環境判定部１６４および処理制御部１６６の詳細は、後述する。
【００４２】
音声処理部１７０は、コンテンツに含まれる音声信号を取得し、取得した音声信号を増幅して、連結部材４６に接続された右イヤホン３２内の図示しないスピーカーおよび左イヤホン３４内の図示しないスピーカーに対して供給する。なお、例えば、Ｄｏｌｂｙ（登録商標）システムを採用した場合、音声信号に対する処理がなされ、右イヤホン３２および左イヤホン３４からは、それぞれ、例えば周波数等が変えられた異なる音が出力される。
【００４３】
ｉＢｅａｃｏｎ処理部１７２は、ｉＢｅａｃｏｎ（登録商標）の技術を用いて、ＨＭＤ１００の外部に設けられたＢＬＥ（Bluetooth Low Energy）端末からの信号を受信することによって、ＢＬＥ端末とＨＭＤ１００との間の距離を求める。
【００４４】
インターフェイス１８０は、制御部１０に対して、コンテンツの供給元となる種々の外部機器ＯＡを接続するためのインターフェイスである。外部機器ОＡとしては、例えば、パーソナルコンピューターＰＣや携帯電話端末、ゲーム端末等がある。インターフェイス１８０としては、例えば、ＵＳＢインターフェイスや、マイクロＵＳＢインターフェイス、メモリーカード用インターフェイス等を用いることができる。
【００４５】
画像表示部２０は、右表示駆動部２２と、左表示駆動部２４と、右光学像表示部２６としての右導光板２６１と、左光学像表示部２８としての左導光板２６２と、外景撮影用カメラ６１（図１も参照）と、９軸センサー６６とを備えている。
【００４６】
外景撮影用カメラ６１は、利用者が画像表示部２０を装着した際の利用者の眉間に対応する位置に配置されている。そのため、外景撮影用カメラ６１は、利用者が画像表示部２０を頭部に装着した状態において、利用者が向いている方向の外部の景色である外景を撮像する。外景撮影用カメラ６１は、単眼カメラであるが、ステレオカメラであってもよい。なお、本実施形態では、外景撮影用カメラ６１は、望遠機能を有し、望遠での撮影を行うことが可能となっている。望遠機能としては、光学ズーム、デジタルズームのいずれによるものであってもよい。さらに、外景撮影用カメラ６１に換えて、ＵＳＢ接続等の外付けのカメラとすることもできる。
【００４７】
９軸センサー６６は、加速度（３軸）、角速度（３軸）、地磁気（３軸）を検出するモーションセンサーであり、本実施形態では利用者の右側のこめかみに対応する位置に配置されている。９軸センサー６６は、画像表示部２０に設けられているため、画像表示部２０が利用者の頭部に装着されているときには、利用者の頭部の動きを検出する。検出された利用者の頭部の動きから画像表示部２０の向きが特定される。
【００４８】
右表示駆動部２２は、受信部（Ｒｘ）５３と、光源として機能する右バックライト（ＢＬ）制御部２０１および右バックライト（ＢＬ）２２１と、表示素子として機能する右ＬＣＤ制御部２１１および右ＬＣＤ２４１と、右投写光学系２５１とを含んでいる。なお、右バックライト制御部２０１と、右ＬＣＤ制御部２１１と、右バックライト２２１と、右ＬＣＤ２４１とを総称して「画像光生成部」とも呼ぶ。
【００４９】
受信部５３は、制御部１０と画像表示部２０との間におけるシリアル伝送のためのレシーバーとして機能する。右バックライト制御部２０１は、入力された制御信号に基づいて、右バックライト２２１を駆動する。右バックライト２２１は、例えば、ＬＥＤやエレクトロルミネセンス（ＥＬ）等の発光体である。右ＬＣＤ制御部２１１は、受信部５３を介して入力されたクロック信号ＰＣＬＫと、垂直同期信号ＶＳｙｎｃと、水平同期信号ＨＳｙｎｃと、右眼用画像データＤａｔａ１とに基づいて、右ＬＣＤ２４１を駆動する。右ＬＣＤ２４１は、複数の画素をマトリクス状に配置した透過型液晶パネルである。右ＬＣＤ２４１は、マトリクス状に配置された各画素位置の液晶を駆動することによって、右ＬＣＤ２４１を透過する光の透過率を変化させることにより、右バックライト２２１から照射される照明光を、画像を表す有効な画像光へと変調する。
【００５０】
右投写光学系２５１は、右ＬＣＤ２４１から射出された画像光を並行状態の光束にするコリメートレンズによって構成される。右光学像表示部２６としての右導光板２６１は、右投写光学系２５１から出力された画像光を、所定の光路に沿って反射させつつ利用者の右眼ＲＥに導く。光学像表示部は、画像光を用いて利用者の眼前に虚像を形成する限りにおいて任意の方式を用いることができ、例えば、回折格子を用いてもよいし、半透過反射膜を用いてもよい。なお、ＨＭＤ１００が画像光を出射することを、本明細書では「画像を表示する」とも呼ぶ。
【００５１】
左表示駆動部２４は、右表示駆動部２２と同様の構成を有している。すなわち、左表示駆動部２４は、受信部（Ｒｘ）５４と、光源として機能する左バックライト（ＢＬ）制御部２０２および左バックライト（ＢＬ）２２２と、表示素子として機能する左ＬＣＤ制御部２１２および左ＬＣＤ２４２と、左投写光学系２５２とを含んでいる。右ＬＣＤ２４１と同様に、左ＬＣＤ２４２は、マトリクス状に配置された各画素位置の液晶を駆動することによって、左ＬＣＤ２４２を透過する光の透過率を変化させることにより、左バックライト２２２から照射される照明光を、画像を表す有効な画像光へと変調する。なお、本実施形態ではバックライト方式を採用することとしたが、フロントライト方式や、反射方式を用いて画像光を射出してもよい。
【００５２】
図３は、利用者に視認される虚像の一例を示す説明図である。図３では、利用者の視野ＶＲを例示している。上述のようにして、ＨＭＤ１００の利用者の両眼に導かれた画像光が利用者の網膜に結像することにより、利用者は虚像（画像）ＶＩを視認する。図３の例では、虚像ＶＩは、ＨＭＤ１００のＯＳの待ち受け画面である。また、利用者は、右光学像表示部２６および左光学像表示部２８を透過して外景ＳＣを視認する。このように、本実施形態のＨＭＤの利用者は、視野ＶＲのうち虚像ＶＩが表示された部分については、虚像ＶＩと、虚像ＶＩの背後に外景ＳＣとを見ることができる。また、視野ＶＲ１のうち虚像ＶＩが表示されていない部分については、光学像表示部を透過して、外景ＳＣを直接見ることができる。
【００５３】
Ａ−２．ＨＭＤのプラットフォーム：
図４は、ＨＭＤ１００のプラットフォームの説明図である。プラットフォームとは、ＨＭＤ１００にインストールされているアプリケーションを動作させるために必要な、基盤となるハードウェア資源、ＯＳ、ミドルウェア等の集合である。本実施形態のプラットフォーム５００は、アプリケーション層５１０と、フレームワーク層５２０と、ライブラリー層５３０と、カーネル層５４０と、ハードウェア層５５０と、を含んでいる。各層５１０〜５５０は、プラットフォーム５００に含まれているハードウェア資源、ＯＳ、ミドルウェア等を概念的に層分けしている。フレームワーク層５２０と、ライブラリー層５３０と、カーネル層５４０とによって、ＯＳ１５０（図２）の機能が実現される。なお、図４では、説明上必要としない構成要素は図示を省略する。
【００５４】
アプリケーション層５１０は、ＯＳ１５０上において所定の処理を実行するためのアプリケーションソフトウェアの集合である。アプリケーション層５１０に含まれている各アプリケーションソフトウェアを、以降「アプリ」または「アプリケーション」とも呼ぶ。アプリケーション層５１０には、ＨＭＤ１００に予めインストールされているアプリと、ＨＭＤ１００の利用者がインストールしたアプリと、の両方が含まれる。
【００５５】
図４の例では、アプリケーション層５１０には、観戦補助アプリ５１１と、ゲームアプリ５１２と、カメラアプリ５１３と、コードリーダーアプリ５１４等、が含まれている。観戦補助アプリ５１１は、大規模な競技場（スタジアム）での観戦に好適な観戦補助機能を提供する。ゲームアプリ５１２は、ゲーム機能を提供する。カメラアプリ５１３は、撮影機能を提供する。
【００５６】
フレームワーク層５２０は、アプリケーション層５１０のアプリケーションソフトウェアに共通する基本的なプログラム構造や、機能セットを実装したプログラムの集合である。本実施形態では、画像処理部フレーム５２１と、表示制御部フレーム５２２と、音声処理部フレーム５２３と、ｉＢｅａｃｏｎ処理部フレーム５２４等、が含まれている。画像処理部フレーム５２１は、画像処理部１６０（図２）の機能を実現する。表示制御部フレーム５２２は、表示制御部１６２（図２）の機能を実現する。音声処理部フレーム５２３は、音声処理部１７０（図２）の機能を実現する。ｉＢｅａｃｏｎ処理部フレーム５２４は、ｉＢｅａｃｏｎ処理部１７２（図２）の機能を実現する。
【００５７】
ライブラリー層５３０は、特定の機能を実現するためのプログラムを、他のプログラム（例えばアプリケーション層５１０のアプリ）から使用できるように部品化したライブラリーソフトウェアの集合である。ライブラリー層５３０に含まれている各ライブラリーソフトウェアを、以降「ライブラリー」とも呼ぶ。ライブラリーは、単独では実行できず、他のプログラムから呼び出される形で実行される。
【００５８】
図４の例では、ライブラリー層５３０には、ディスプレイライブラリー５３３と、オーディオライブラリー５３４と、センサーライブラリー５３５と、カメラライブラリー５３６と、ＨＴＭＬ（Hyper Text Markup Language）ライブラリー５３７等、が含まれている。ディスプレイライブラリー５３３は、右ＬＣＤ２４１および左ＬＣＤ２４２（図２）を駆動する。オーディオライブラリー５３４は、右イヤホン３２および左イヤホン３４（図２）に内蔵されている音声ＩＣ（Integrated Circuit）を駆動する。センサーライブラリー５３５は、９軸センサー６６（図２）を駆動すると共に、９軸センサー６６による検出値を取得し、検出値をアプリに提供するための情報へ加工する。カメラライブラリー５３６は、外景撮影用カメラ６１（図２）を駆動すると共に、外景撮影用カメラ６１による検出値を取得し、検出値から外景画像を生成する。ＨＴＭＬライブラリー５３７は、ウェブページ記述用言語で記載されたデータを解釈して画面表示用の文字や画像の配置を計算する。
【００５９】
カーネル層５４０は、ＯＳ１５０の基本機能を実装したプログラムの集合である。カーネル層５４０は、ソフトウェア（ライブラリー層５３０）とハードウェア（ハードウェア層５５０）とのやり取りを管理し、両者の架け橋として機能する。
【００６０】
図４の例では、カーネル層５４０には、右ＬＣＤ２４１および左ＬＣＤ２４２用のＬＣＤドライバー５４１と、音声ＩＣ用の音声ＩＣドライバー５４２と、９軸センサー６６用のセンサードライバー５４３と、外景撮影用カメラ６１に内蔵されている画像センサー用の画像センサードライバー５４４と、が含まれている。
【００６１】
ハードウェア層５５０は、ＨＭＤ１００に組み込まれている実際のハードウェア資源である。本実施形態において「ハードウェア資源」とは、ＨＭＤ１００に接続されてＨＭＤ１００に組み込まれているデバイスを意味する。すなわち、ハードウェア資源には、ＨＭＤ１００のマザーボードに内部的に接続されているデバイス（例えば、９軸センサー６６のセンサーデバイス、カメラ６１の画像センサーデバイス、タッチパッド１４のセンサーデバイス等）と、インターフェイス１８０を介してＨＭＤ１００に外部的に接続されているデバイス（例えば、外付けのモーションセンサーデバイス、外付けのＵＳＢデバイス等）と、の両方が含まれる。
【００６２】
図４の例では、ハードウェア層５５０には、右ＬＣＤ２４１および左ＬＣＤ２４２としてのＬＣＤデバイス５５１と、音声ＩＣデバイス５５２と、９軸センサー６６のセンサーデバイス５５３と、カメラ６１の画像センサーデバイス５５４と、が含まれている。
【００６３】
図４において破線で囲んだライブラリーと、ドライバーと、デバイスとは、それぞれ対応関係にあり、協働して動作する。例えば、センサーライブラリー５３５と、センサードライバー５４３と、センサーデバイス５５３と、は９軸センサー６６の機能を実現するために協働して動作する。すなわち、ライブラリー層５３０のセンサーライブラリー５３５と、カーネル層５４０のセンサードライバー５４３とは、アプリが、ハードウェア資源（ハードウェア層５５０）としてのセンサーデバイス５５３を使用するためのプログラム（ソフトウェア）であると言える。なお、１つのハードウェア資源としてのセンサーデバイス５５３を使用可能とするために、センサーデバイス５５３に複数のライブラリーが割り当てられる構成としてもよい。
【００６４】
一方、図４において、例えば、ライブラリー層５３０のＨＴＭＬライブラリー５３７は、ハードウェア資源と対応関係になく、ハードウェア資源に依存しない。このように、ＨＭＤ１００に組み込まれ、ハードウェア資源に依存しないプログラム（ソフトウェア）を、本実施形態では「ソフトウェア資源」とも呼ぶ。ソフトウェア資源としては、フレームワーク層５２０、ライブラリー層５３０、カーネル層５４０の各層に含まれる種々のプログラムが想定される。
【００６５】
Ａ−３．観戦用チケットとアプリの起動の仕方：
図５は、本実施形態に係わるサッカー観戦用のチケットを示す説明図である。サッカー観戦用のチケットＴＣには、会場名Ｃ１と、座席位置を示す座席情報Ｃ２と、ＱＲコード（登録商標）Ｃ３等が印刷されている。ＱＲコードＣ３には、観戦補助アプリ５１１（図４）を起動するための起動情報（以下、「観戦補助アプリ起動情報」と呼ぶ）と、座席情報とがコード化されて記録されている。
【００６６】
ＨＭＤ１００を装着した利用者は、スタジアム内において、コードリーダーアプリ５１４を起動して、入場時に提示したチケットＴＫに視線を向ける。コードリーダーアプリ５１４は、ＨＭＤ１００の待ち受け画面（図３参照）に配置された［コードリーダー］アイコンＩＣを選択する所定の操作を入力情報取得部１１０が受け付けることによって起動される。コードリーダーアプリ５１４を実行するＨＭＤ１００は、外景撮影用カメラ６１によって撮影を行い、得られた撮影画像の中にＱＲコードが含まれる場合に、そのＱＲコードを元の情報に復元し、その元情報を表示する。すなわち、ＣＰＵ１４０は、撮影画像の中にＱＲコードが含まれる場合に、ＱＲコードとしてコード化された情報を画像表示部２０に表示させる。
【００６７】
図６は、サッカー観戦用のチケットＴＣに視線を向けてＱＲコードＣ３の読み取りがなされたときに、利用者に視認される情報の一例を示す説明図である。図６では、利用者の視野ＶＲ１を例示している。視野ＶＲ１には、図示するように、スタジアム内の外景ＳＣ１が含まれている。また、外景ＳＣ１に重畳して、コード情報表示領域ＡＲ１が表示される。コード情報表示領域ＡＲ１には、ＱＲコード５１１の元情報である観戦補助アプリ起動情報Ｄ１と座席情報Ｄ２が含まれる。
【００６８】
利用者は、観戦補助アプリ起動情報Ｄ１を選択する所定の操作を、タッチパッド１４や十字キー１６を用いて行う。その所定の操作を入力情報取得部１１０が受け付けることによって、ＨＭＤ１００は、観戦補助アプリ５１１（図４）を起動することができる。具体的には、ＨＭＤ１００は、観戦補助アプリ起動情報Ｄ１に記されたＵＲＬを辿って観戦補助アプリをインストールし、インストールされた観戦補助アプリ５１１（図４）を起動する。なお、観戦補助アプリ５１１は、予め内蔵された構成としてもよい。なお、本実施形態では、ＱＲコード５１１は、サッカー観戦用のチケットＴＣに記したものとしたが、これに換えて、スタジアム内の各座席に予め貼り付けた構成としてもよい。すなわち、各座席には、各座席に対応した座席情報Ｄ２を有するＱＲコードをそれぞれ貼り付けた構成とすることができる。
【００６９】
Ａ−４．観戦補助アプリによる処理：
図７は、観戦補助ルーチンの詳細を示すフローチャートである。観戦補助ルーチンは、観戦補助アプリ５１１に従う処理ルーチンで、ＨＭＤ１００のＣＰＵ１４０によって実行される。観戦補助ルーチンは、観戦補助アプリ５１１の起動を受けて実行開始される。なお、観戦補助アプリ５１１が、一度、ＨＭＤ１００にインストールされた後では、チケットＴＣからではなく、インストールされた観戦補助アプリ５１１に対して、直接、実行指示することによって、観戦補助ルーチンは実行開始することができる。
【００７０】
処理が開始されると、ＣＰＵ１４０は、まず、ＱＲコード５１１を読み取ることによって得られた、前述したにコード化された座席情報Ｄ２を、記憶部１２０（図２）の所定のエリアに記憶する（ステップＳ１１０）。なお、観戦補助アプリ５１１を起動するに際し、ＱＲコードＣ３の読み取りを行わなかった場合には、座席情報Ｄ２をタッチパッド１４や十字キー１６を用いて入力するようにしてもよい。
【００７１】
次いで、ＣＰＵ１４０は、その座席情報Ｄ２によって定まる座席が、スタジアムの上段エリアに含まれるか否かを判定する（ステップＳ１２０）。上段エリアは、スタジアムの上段側に予め設定したエリアであり、本実施形態では、この上段エリア内に含まれる観客に対して特別なサービスを提供することが可能なように、ステップＳ１２０で、上段エリアに含まれるか否かの判定を行っている。ステップＳ１２０で、座席情報Ｄ２によって定まる座席が上段エリアに含まれないと判定された場合には、ＣＰＵ１４０は、この観戦補助ルーチンを終了する。
【００７２】
一方、ステップＳ１２０で、座席情報Ｄ２によって定まる座席が上段エリアに含まれると判定されると、ＣＰＵ１４０は、ＨＭＤ１００の現在位置をＧＰＳモジュール１３４によって検出し（ステップＳ１４０）、その現在位置が、サッカー競技を行っているスタジアム内か否かを判定する（ステップＳ１５０）。ここで、現在位置がスタジアム内であると判定された場合には、ＣＰＵ１４０は、外景撮影用カメラ６１の望遠機能をオンして撮影を開始する（ステップＳ１６０）。なお、その撮影の際には、撮影動画を記憶部１２０に保存する（ステップＳ１７０）。また、撮影の際には、ステップＳ１４０およびＳ１５０の処理を繰り返し行い、ステップＳ１５０によって、ＨＭＤ１００の現在位置がスタジアム内であると判定されたときには、ステップＳ１６０およびＳ１７０によって撮影を継続して行う。
【００７３】
前述したように、外景撮影用カメラ６１は、利用者が向いている方向の外景を撮像することが可能であることから、ＨＭＤ１００によれば、利用者が向いている方向の競技の模様を自動的に望遠撮影することができる。なお、ＨＮＤ１００は、望遠撮影がなされている途中で、別に用意された再生アプリケーションを利用して、撮影した内容、すなわち、記憶部１２０に保存した撮影動画を再生することができる。
【００７４】
図８は、撮影動画を再生したときに、利用者に視認される情報の一例を示す説明図である。図８では、利用者の視野ＶＲ２を例示している。視野ＶＲ２には、図示するように、スタジアム内の外景ＳＣ２が含まれている。また、外景ＳＣ２に重畳して、再生領域ＡＲ２が表示される。再生領域ＡＲ２には、上述した望遠にて撮影された撮影動画が含まれる。
【００７５】
図７のステップＳ１５０によって、ＨＭＤ１００の現在位置がスタジアム内ではない、すなわちＨＭＤ１００がスタジアムの外側に移動したと判定されたときには、ＣＰＵ１４０は、ステップＳ１３０に処理を進めて、ステップＳ１７０によって記憶部１２０に記憶された撮影動画を削除する。その後、ＣＰＵ１４０は、観戦補助ルーチンを終了する。
【００７６】
なお、観戦補助ルーチンにおけるステップＳ１１０およびステップＳ１２０の処理が利用環境判定部（図２）に対応し、ステップＳ１６０およびステップＳ１７０の処理が処理制御部（図２）に対応している。
【００７７】
以上のように構成された第１実施形態のＨＭＤ１００によれば、スタジアムにおける利用環境が上段エリアといった座席環境にある場合に、利用者が向いている方向の模様が望遠にて自動的に撮影される。このために、利用者は、上段エリアであるがために、「よく見えないな」、「今のプレーを再度みたい」といった場合に、自動的に望遠撮影されて保存された撮影動画を再生することで、再度、見ることができる。したがって、ＨＭＤ１００によれば、上段エリアという座席環境にふさわしい撮影機能を容易に実現できる。また、上段エリアという座席環境における利用者の利便性を向上することができる。また、スタジアムの外に出たときには、撮影画像は削除されることから、撮影画像がスタジアム外に持ち出されることを防止することができる。
【００７８】
上記第１実施形態の変形例として、ＨＭＤ１００がスタジアムの外側に移動したと判定されたときに、撮影動画を削除する構成に換えて、撮影動画の再生をロックする構成としてもよい。スタジアムの外側ではロックすることで、スタジアム外での上記の撮影動画の再生を禁止することができ、当該スタジアムに戻ってきたときには、過去の撮影動画を再生することが可能となる。また、第１実施形態の別の変形例として、図７においてステップＳ１１０およびＳ１２０の処理を削除する構成としてもよい。この変形例によれば、スタジアム内のいずれの位置でも望遠撮影が可能となり、スタジアム外に移動したときには、その撮影画像は削除される。この変形例においても、撮影動画を削除する構成に換えて、撮影動画の再生をロックする構成としてもよい。
【００７９】
Ｂ．第２実施形態：
図９は、本発明の第２実施形態に係るＨＭＤの使用形態を示す説明図である。第２実施形態に係るＨＭＤ６００は、第１実施形態に係るＨＭＤ１００と比較して、オペラ（歌劇）鑑賞補助アプリを備える点が相違し、残余の点では同一である。なお、第１実施形態と同一のパーツについては、第１実施形態で用いた符号をそのまま付けて、以下の説明を行う。図示するように、第２実施形態に係るＨＭＤ６００は、オペラを公演する劇場内で用いられる。オペラ鑑賞補助アプリは、例えば、利用する劇場のホームページからダウンロードして、ＨＭＤ６００に予めインストールされている。
【００８０】
劇場の最後部座席の裏側には、ＢＬＥ端末６１０が配置されており、ＢＬＥ端末６１０からｉＢｅａｃｏｎの信号が出力される。ｉＢｅａｃｏｎの信号には、ＢＬＥ端末６１０までの距離が少なくとも保持される。ＨＭＤ６００を装着した利用者は、劇場内に入ると、まず、オペラ鑑賞補助アプリを起動する。
【００８１】
図１０は、鑑賞補助ルーチンの詳細を示すフローチャートである。鑑賞補助ルーチンは、オペラ鑑賞補助アプリに従う処理ルーチンで、ＨＭＤ６００のＣＰＵ１４０によって実行される。この鑑賞補助ルーチンでは、ｉＢｅａｃｏｎ処理部１７２（図２）を用いる。
【００８２】
処理が開始されると、ＨＭＤ６００のＣＰＵは、まず、ＢＬＥ端末６７０からｉＢｅａｃｏｎの信号を感知したか否かを判定する（ステップＳ２１０）。ＣＰＵ１４０は、ｉＢｅａｃｏｎの信号を感知するまでステップＳ２１０の処理を繰り返し実行し、ステップＳ２１０で感知されたと判定されると、感知した信号に保持される距離が所定値（例えば、７ｍ）未満であるか否かを判定する（ステップＳ２２０）。距離が所定値未満であるか否かの判定は、ＨＭＤ１００を装着した利用者の座席が、劇場の後部側の所定範囲に含まれるか否かを判定するためのものである。すなわち、距離が所定値未満であるか否かの判定は、ＨＭＤ１００の利用環境が後部座席という座席環境にあるか否かを判定する。ここで、距離が所定値未満でないと判定された場合、ＣＰＵ１４０は、ステップＳ２１０に処理を戻す。
【００８３】
ステップＳ２２０で、距離が所定値未満であると判定された場合には、ＨＭＤ１００の利用環境が後部座席の環境に移行したとして、ＣＰＵ１４０は、アプリケーション層５１０（図４）に含まれる音声処理部フレーム５２３とカメラアプリ５１３とをロックする（ステップＳ２３０、Ｓ２４０）。音声処理部フレーム５２３は、ＨＭＤ１００の音声の出力の全てを担うために、音声処理部フレーム５２３がロックされることで、ＨＭＤ６００からの音声の出力は全て消される（ミュートされる）。
【００８４】
一方、外景撮影用カメラ６１を用いた撮影機能については、カメラアプリ５１６以外にも、アプリケーション層５１０に含まれる他のアプリによるマーカー認識処理（第１実施形態におけるＱＲコードを認識する処理等）にも含まれるが、本実施形態では、カメラアプリ５１６による撮影は禁止され、マーカー認識処理に従う撮影は禁止されることはない（すなわち、許可される）。すなわち、本実施形態では、盗撮を目的として利用可能なカメラアプリ５１６による撮影を禁止し、盗撮として利用できないマーカー認識処理に従う撮影は許可するようにした。なお、変形例として、ライブラリー層５３０に含まれるカメラライブラリー５３６をロックして、全ての撮影を禁止するようにしてもよい。
【００８５】
ステップＳ２４０の実行後、ＣＰＵ１４０は、案内情報の表示を開始する（ステップＳ２５０）。すなわち、ＣＰＵ１４０は、案内情報を画像表示部２０に表示させることを開始する。図９に例示するように、利用者の視野ＶＲ３には、劇場内の外景ＳＣ３が含まれており、外景ＳＣ３に重畳して、案内情報表示領域ＡＲ３が表示される。この案内情報表示領域ＡＲ３に案内情報ＧＩが含まれる。案内情報ＧＩは、公演されているオペラ（上演作品）についての技法、時代背景、みどころなどの詳細情報である。本実施形態では、ＨＭＤ６００は、公演の開始を開始時間から検出し、公演時間に併せて、案内情報表示領域ＡＲ３に含まれる案内情報を順に切り替える。また、本実施形態では、視野ＶＲ３において、その中心からずらした位置に案内情報表示領域ＡＲ３を配置する構成とした。これによって、利用者は、公演内容を視認することに支障をきたすことなしに、案内情報ＧＩを見ることができる。ステップＳ２５０の実行後、鑑賞補助ルーチンを終了するが、上記の開始された案内情報の表示は、公演が終了するまで継続される。
【００８６】
なお、鑑賞補助ルーチンにおけるステップＳ２１０およびＳ２２０の処理が利用環境判定部に対応し、ステップＳ２３０からＳ２５０までの処理が処理制御部に対応している。処理制御部としては、ステップＳ２３０からＳ２５０までの全ての処理を実行する構成に換えて、ステップＳ２３０からＳ２５０までのいずれか一つのステップだけを実行する構成としてもよいし、いずれか２つのステップを実行する構成としてもよい。
【００８７】
以上のように構成され第２実施形態のＨＭＤ６００によれば、劇場における利用環境が後部座席といった座席環境にある場合に、外景ＳＣ３として視認される公演内容とともに、公演されているオペラの案内情報を見ることができる。劇場（特に、大型の劇場）における後部座席の座席環境では、視認する対象は遠くにあり、視野ＶＲに占める割合は小さくなる。このために、視野ＶＲに案内情報ＧＩを表示するだけのスペースを十分にとることができる。したがって、ＨＭＤ６００によれば、後部座席という座席環境にふさわしい表示機能を容易に実現できる。また、後部座席という座席環境における利用者の利便性を向上することができる。
【００８８】
Ｃ．第３実施形態：
図１１は、本発明の第３実施形態に係るＨＭＤの使用形態を示す説明図である。第３実施形態に係るＨＭＤ７００は、第１実施形態に係るＨＭＤ１００と比較して、映画鑑賞補助アプリを備える点が相違し、残余の点では同一である。なお、第１実施形態と同一のパーツについては、第１実施形態で用いた符号をそのまま付けて、以下の説明を行う。図示するように、第３実施形態に係るＨＭＤ７００は、映画館内で用いられる。映画鑑賞補助アプリは、例えば、利用する映画館のホームページからダウンロードして、ＨＭＤ７００に予めインストールされている。
【００８９】
映画館内の第１の位置には第１のＢＬＥ端末７１０が配置されており、映画館内の第１の位置とは相違する第２の位置には第２のＢＬＥ端末７１０が配置されている。各ＢＬＥ端末７１０、７２０からｉＢｅａｃｏｎの信号が出力される。ｉＢｅａｃｏｎの信号には、ＢＬＥ端末７１０、７２０を識別するためのＢＬＥ端末識別番号と、各ＢＬＥ端末７１０、７２０までの距離とが少なくとも保持される。ＨＭＤ７００を装着した利用者は、映画館内に入ると、まず、映画鑑賞補助アプリを起動する。
【００９０】
図１２は、鑑賞補助ルーチンの詳細を示すフローチャートである。鑑賞補助ルーチンは、映画鑑賞補助アプリに従う処理ルーチンで、ＨＭＤ７００のＣＰＵ１４０によって実行される。この鑑賞補助ルーチンでは、ｉＢｅａｃｏｎ処理部１７２（図２）を用いる。
【００９１】
処理が開始されると、ＨＭＤ６００のＣＰＵは、まず、２つのＢＬＥ端末７１０、７２０のうちの少なくとも一方から、ｉＢｅａｃｏｎの信号を感知したか否かを判定する（ステップＳ３１０）。ＣＰＵ１４０は、ｉＢｅａｃｏｎの信号を感知するまでステップＳ３１０の処理を繰り返し実行し、ステップＳ３１０で感知されたと判定されると、感知した信号に保持される距離が所定値（例えば、５ｍ）未満であるか否かを判定する（ステップＳ３２０）。なお、複数のｉＢｅａｃｏｎの信号を感知した場合には、保持される距離が短い方の信号を上記「感知した信号」とみなす。距離が所定値未満であるか否かの判定は、ＨＭＤ１００を装着した利用者の座席が、第１のＢＬＥ端末７１０が配置された第１の位置を中心とする、半径が前記所定値である第１の範囲Ｅ１と、第２のＢＬＥ端末７２０が配置された第２の位置を中心とする、半径が前記所定値である第２の範囲Ｅ２とのいずれか一方に含まれるか否かを判定するためのものである。すなわち、距離が所定値未満であるか否かの判定は、ＨＭＤ１００の利用環境が第１の範囲Ｅ１または第２の範囲Ｅ２に含まれるか否かを判定する。ここで、距離が所定値未満でないと判定された場合、ＣＰＵ１４０は、ステップＳ３１０に処理を戻す。
【００９２】
ステップＳ３２０で、距離が所定値未満であると判定された場合には、ＨＭＤ１００の利用環境が第１の範囲Ｅ１または第２の範囲Ｅ２に含まれる環境に移行したとして、ＣＰＵ１４０は、アプリケーション層５１０（図４）に含まれる音声処理部フレーム５２３とカメラアプリ５１３とをロックする（ステップＳ３３０、Ｓ３４０）。このステップＳ３３０およびＳ３４０は、第２実施形態のステップＳ２３０およびＳ２４０（図１０）と同一である。
【００９３】
ステップＳ３３０の実行後、ＣＰＵ１４０は、感知した信号に保持されるＢＬＥ端末識別番号に対応した言語の字幕の表示を開始する（ステップＳ２４０）。本実施形態では、映画館内の第１の範囲Ｅ１では字幕を日本語で表示し、映画館内の第２の範囲Ｅ２では字幕を中国語で表示するように、予め定められていう。このため、ステップＳ２４０では、感知した信号に保持されるＢＬＥ端末識別番号が第１のＢＬＥ端末７１０を示すものであるときには、日本語の字幕の表示を開始し、感知した信号に保持されるＢＬＥ端末識別番号が第２のＢＬＥ端末７１０を示すものであるときには、中国語の字幕の表示を開始する。ステップＳ３４０の実行後、鑑賞補助ルーチンを終了するが、上記の開始された字幕の表示は、上映が終了するまで継続される。
【００９４】
なお、鑑賞補助ルーチンにおけるステップＳ３１０およびＳ３２０の処理が利用環境判定部に対応し、ステップＳ３３０からＳ３５０までの処理が処理制御部に対応している。処理制御部としては、ステップＳ３３０からＳ３５０までの全ての処理を実行する構成に換えて、ステップＳ３３０からＳ３５０までのいずれか一つのステップだけを実行する構成としてもよいし、いずれか２つのステップを実行する構成としてもよい。
【００９５】
以上のように構成され第３実施形態のＨＭＤ７００によれば、映画館における利用環境が第１の範囲Ｅ１といった座席環境にある場合に、外景ＳＣ４として透過して視認されるスクリーンＳＲとともに、日本語の字幕を見ることができる。また、映画館における利用環境が第２の範囲Ｅ２といった座席環境にある場合に、外景ＳＣ５として透過して視認されるスクリーンＳＲとともに、中国語の字幕を見ることができる。したがって、ＨＭＤ６００によれば、座席環境に応じて、字幕の言語を容易に切り替えることができる。また、座席環境における利用者の利便性を向上することができる。
【００９６】
Ｄ．第４実施形態：
図１３は、本発明の第４実施形態に係るＨＭＤの使用形態を示す説明図である。第４実施形態に係るＨＭＤ８００は、第１実施形態に係るＨＭＤ１００と比較して、アプリ実行制限アプリケーションを備える点が相違し、残余の点では同一である。第４実施形態に係るＨＭＤ８００は、高レベルのセキュリティーを必要とするセキュリティールーム８２０を含むオフィス８１０において使用される。セキュリティールーム８２０の中央には、ＢＬＥ端末８３０が設けられている。ＢＬＥ端末８３０とＨＭＤ８００との間の距離か所定値（例えば、５ｍ）未満となったときに、ＨＭＤ８００を装着した利用者がセキュリティールーム８２０に入ったものとみなす。ＨＭＤ８００は、ＢＬＥ端末８３０からの距離か所定値未満と判定されたときに、所定のアプリケーションプログラムの実行を許可するとともに、所定のネットワークへの接続を許可するようにする。一方、ＢＬＥ端末８３０からの距離か所定値以上と判定されたとき、またはＢＬＥ端末８３０からのｉＢｅａｃｏｎの信号を感知できなかったときには、前記所定のアプリケーションプログラムの実行を禁止するとともに、所定のネットワークへの接続を禁止する。
【００９７】
以上のように構成された第４実施形態に係るＨＭＤ８００によれば、利用環境が高レベルのセキュリティーを必要とするセキュリティー環境にあるか否かによって、所定のアプリケーションの実行が許可または禁止され、所定のネットワークへの接続が許可または禁止される。したがって、ＨＭＤ８００によれば、セキュリティー環境に応じて、所定のアプリケーションの実行の許可／禁止、および所定のネットワークへの接続の許可／禁止を容易に切り替えることができる。なお、本実施形態では、所定のアプリケーションの実行と所定のネットワークへの接続との双方を許可または禁止する構成としたが、これに換えて、所定のアプリケーションの実行と所定のネットワークへの接続とのいずれか一方だけを行う構成としてもよい。
【００９８】
Ｅ．変形例：
なお、この発明は上記第１ないし第４実施形態およびそれらの変形例に限られるものではなく、その要旨を逸脱しない範囲において種々の態様において実施することが可能であり、例えば、次のような変形も可能である。
【００９９】
Ｅ−１．変形例１：
利用環境の違いとしては、以下のものが含まれる。
［１］国、州や県、都市、行政区などの地理的な違い。
［２］特定の施設、例えばスタジアム、劇場、美術館、博物館、映画館、コンサート会場、研究所、会社、デパート、工場、学校、病院、高速道路、競技場、建築現場、動物園、植物園、公園などの内か外か。この場合、内外の区別は、スタジアム一般、劇場一般として判断してもよい。○○美術館といった特定の施設を対象として判断してもよい。
［３］特定の区域、例えば、砂丘、湿原、浜辺、山岳地帯などの内か外か。この場合、内外の区別は、砂丘一般、湿原一般として判断してもよい。○○湿原といった特定の施設を対象として判断してもよい。
［４］特定の移動手段、例えば飛行機、電車、船舶、車両の内外。この場合、内外の区別は、飛行機一般、電車一般として判断してもよい。○○便といった特定の移動手段を対象として判断してもよい。
［５］上記［２］〜［４］の内側における特定の位置、例えば第１ないし第４実施形態が該当する。
［６］利用者のいる場所において利用者の五感（視覚、聴覚、嗅覚、味覚、触覚）に感じられる要素、例えば照度、温度、湿度、騒音レベル、環境音の相違、臭い、風量、風向、降雪・降雨などの違いを利用環境の違いとして認識してもよい。五感には感じられない環境の要素、例えば低周波音、赤外線量、紫外線量、電波強度、磁場強度、などによって利用環境の違いを認識してもよい。
［７］利用環境の違いは、統計的あるいは被統計的手法により、予め区別されたものであってもよい。例えば、利用者のいる場所の安全性（犯罪率、事故率、被災率などによって指標化できる）の相違や、利便性（駅までの距離、コンビニの数、学校までの距離などによって指標化できる）の相違や、社会性（パブリックスペースか、プライベートスペースか、その中間か）などの相違によって、区別してもよい。こうした区別は、予め指標化して、位置情報と対応付けておいてもよいし、その都度、インターネットなどのネットワークを介して取得するものとしてもよい。
【０１００】
具体的には、例えば、電車の中、車の中、飛行機の中などのパブリックスペースへの移行が検出されたときに、カメラアプリ５１６がロックされる構成として、盗撮防止を図るようにしてもよい。例えば、会社への移動が検出されたときに、業務用のアプリケーションプログラムの実行を許可するようにしてもよい。例えば、航空機の中という環境では、妨害電波の基となる携帯電話、無線ＬＡＮの使用を禁止し、航空機の電子機器への影響の少ないＢｌｕｅｔｏｏｔｈ、ｉＢｅａｃｏｎを利用可能とするようにしてもよい。例えば、ＨＭＤの利用環境が特定の国であることがＧＰＳ等によって検出されたときに、その国に応じて定められた機能を変更するようにしてもよい。例えば、ＨＭＤにおける使用言語を変更すること、ＨＭＤにおいて表示される長さ、質量などの使用単位を変更すること、ＨＭＤの無線機器の出力制限を変更すること等を行うことができる。
【０１０１】
Ｅ−２．変形例２：
利用環境の判定としては、以下のものが含まれる。
［１］撮像した画像に基づいて判断するもの
〈１〉撮像した外景から直接判断する手法。例えば、風景、景色、建物外形などを、画像マッチングを利用して判断する。
〈２〉撮像した外景に含まれるマーカーにより判断する手法。マーカーには、バーコード、ＱＲコード（登録商標）、特定の形態の看板、特定の標識（例えば、「撮影禁止」、「フラッシュ禁止」等の標識）マーク、文字列、などが含まれる。また、マーカーは、土地や施設の固定物（看板、路面マークなど）であってもよいし、簡単に設置または持ち運べるもの（プラカード、ポスターなど）であってもよい。
〈３〉外景以外にも、手術における内視鏡画像などの特定の撮像画像から判断するもの。特定の撮像画像に含まれるマーカーにより判断する手法。
［２］収録した音により判断するもの
〈１〉音を分析して、浜辺、都会、などの判断。
〈２〉音に含まれる特定のパターンにより判断。流れている音楽、可聴域のビーコンなど。
［３］電波や磁場などの信号により判断。例えば、無線ＬＡＮやＢｌｕｅｔｏｏｔｈ、ｉＢｅａｃｏｎなど。
【０１０２】
Ｅ−３．変形例３：
変更される所定の機能としては、以下のものが含まれる。
［１］撮影機能
第１実施形態に示したように動画を撮影する機能に換えて、静止画を撮影する機能としてもよい。また、第１実施形態に示したように望遠撮影の機能であってもよいし、赤外撮影の機能、パノラマ撮影等の他の種類の撮影機能としてもよい。また、上記第１実施形態では、カメラによる撮影機能の変更として、駆動のオン／オフの切り替えであったが、これに換えて、解像度の変更、赤外撮影のオン／オフの切り替え、ビデオ機能のオン／オフの切り替え、カラー／白黒の切り替え、連写のオン／オフの切り替え、分割撮影のオン／オフの切り替え、保存形式（ロウデータ）の切り替え、撮影画像の保存の可否の切り替え、撮影画像に対するパスワードの付与の切り替え、各種フィルタ撮影の切り替え等としてもよい。すなわち、撮影機能のオン・オフに加えて、撮影機能の一部停止、一部活性化等であってもよい。例えば、パブリックスペースへの移行が検出されたときに、カメラの解像度を制限すること、例えば通常１２００万画素のカメラを人の顔を認識出来ないレベルの３０万画素の機能に落とようにしてもよい。
【０１０３】
［２］録音機能
第１実施形態に示したように録画する機能に換えて、録音する機能としてもよい。例えば、コンサート会場の利用環境において、録音機能を禁止するようにしてもよい。また、録音機能の変更として、マイクのオン／オフの変更、録音機能そのもののオン／オフの変更、録音音声の保存の有無の変更、バスワード付与の有無の変更等としてもよい。
【０１０４】
［３］音声機能
上記第２および第３実施形態では、処理制御部として、音声機能を抑制することとして、音声処理部フレーム５２３をロックしていたが、これに換えて、音声の出力レベルを抑える（すなわち、音量を下げる）構成としてもよい。例えば、音声の出力の程度を促進する（すなわち、音量を上げる）構成としてもよい。すなわち、撮影機能のオン・オフに加えて、撮影機能の一部停止、一部活性化等であってもよい。また、音声機能の変更として、音域の変更、ビットレート（ＡＭ放送並み、高品質など）の変更、ドルビーのオン／オフの変更、使える音源の数や種類（シンセサイザー、音声合成）の変更、ステレオ／モノラルの変更、左右いずれか／両方かの変更等、種々の切り替えに適用することができる。
【０１０５】
［４］情報提示機能
情報提示機能として、上記第２実施形態では案内情報を表示することとし、上記第３実施形態では字幕を表示することとし、これらの表示を行うか行なわないかを切り替えていたが、これに換えて、表示の能力を切り替える構成としてもよい。例えば、右表示駆動部２２および左表示駆動部２４を用いた両眼表示といずれか一方を用いた単眼表示との切り替え、解像度の切り替え、３Ｄ表示と２Ｄ表示の切り替え、カラー／白黒の切り替え、透過率の切り替え、表示輝度の切り替え、動画フレーム数の切り替え、表示言語の切り替え等としてもよい。また、広告表示のオン／オフの切り替えとしてもよい。また、情報提示機能を抑制する構成として、表示する案内情報の情報量を少なくする構成等、所定の機能を抑制する構成としてもよい。また、例えば、表示する案内情報の情報量を多くする構成等、情報提示機能を促進する構成としてもよい。
【０１０６】
［５］ＨＭＤが外部と連携する機能の変更
例えば、通信機能の変更として、通信機能のオン／オフの切り替え、通信速度の切り替え、通信距離の切り替え、接続先ネットワークの範囲の切り替え、自動接続の可否の切り替え等としてもよい。また、ＢｌｕｅｔｏｏｔｈやｉＢｅａｃｏｍのオン／オフの切り替え、Ｂｌｕｅｔｏｏｔｈのマルチリンク可否の切り替え、ＲＦタグの読み取り機能のオン／オフの切り替え、メモリーのアクセス範囲の切り替え、外部メモリーへのアクセスの可否の切り替え、ライブラリーやドライバーのアクセス範囲の切り替え等としてもよい。その他、各種センサーのオン／オフの切り替えとしてもよい。
【０１０７】
変更される所定の機能としては上記の［１］〜［５］以外の種々のものが含まれる。また、機能の変更としては、オン、オフ、抑制、促進、一部停止、一部活性化が含まれる。さらに、機能の変更には、機能の追加や除去なども含まれる。
【０１０８】
Ｅ−４．変形例４：
上記各実施形態では、機能を変更する方法として、アプリケーション層５１０に含まれる要素、（例えば、カメラアプリ５１６）を変更したり、フレームワーク層５２０に含まれる要素、例えば、音声処理部フレーム５２３）を変更していたが、これらに換えて、ライブラリー層５３０に含まれる要素を変更したり、カーネル層５４０に含まれる要素を変更したり、ハードウェア層５５０に含まれる要素を変更したりしてもよい。
【０１０９】
Ｅ−５．変形例５：
上記各実施形態では、ＨＭＤの利用環境は、ＨＭＤが移動することによって切り替わる利用環境であったが、これに換えて、ＨＭＤの移動とは無関係にＨＭＤの周囲の変化によって切り替わる利用環境としてもよい。例えば、季節の移り変わりを検知するようにし、夏には画像表示部２０による表示の輝度を冬の場合より高くするようにしてもよい。
【０１１０】
Ｅ−６．その他の変形例：
上記実施形態では、ヘッドマウントディスプレイの構成について例示した。しかし、ヘッドマウントディスプレイの構成は、本発明の要旨を逸脱しない範囲において任意に定めることが可能であり、例えば、各構成部の追加・削除・変換等を行うことができる。
【０１１１】
上記実施形態における、制御部と、画像表示部とに対する構成要素の割り振りは、あくまで一例であり、種々の態様を採用可能である。例えば、以下のような態様としてもよい。（ｉ）制御部にＣＰＵやメモリー等の処理機能を搭載、画像表示部には表示機能のみを搭載する態様、（ｉｉ）制御部と画像表示部との両方にＣＰＵやメモリー等の処理機能を搭載する態様、（ｉｉｉ）制御部と画像表示部とを一体化した態様（例えば、画像表示部に制御部が含まれ眼鏡型のウェアラブルコンピューターとして機能する態様）、（ｉｖ）制御部の代わりにスマートフォンや携帯型ゲーム機を使用する態様、（ｖ）制御部と画像表示部とを無線通信かつワイヤレス給電可能な構成とすることにより接続部（コード）を廃した態様。
【０１１２】
上記実施形態では、説明の便宜上、制御部が送信部を備え、画像表示部が受信部を備えるものとした。しかし、上記実施形態の送信部および受信部は、いずれも、双方向通信が可能な機能を備えており、送受信部として機能することができる。また、例えば、図２に示した制御部は、有線の信号伝送路を介して画像表示部と接続されているものとした。しかし、制御部と、画像表示部とは、無線ＬＡＮや赤外線通信やＢｌｕｅｔｏｏｔｈ（登録商標）等の無線の信号伝送路を介した接続により接続されていてもよい。
【０１１３】
例えば、上記実施形態で示した制御部、画像表示部の構成は任意に変更することができる。具体的には、例えば、制御部からタッチパッドを省略し、十字キーのみで操作する構成としてもよい。また、制御部に操作用スティック等の他の操作用インターフェイスを備えてもよい。また、制御部にはキーボードやマウス等のデバイスを接続可能な構成として、キーボードやマウスから入力を受け付けるものとしてもよい。また、例えば、タッチパッドや十字キーによる操作入力のほか、フットスイッチ（利用者の足により操作するスイッチ）による操作入力を取得してもよい。例えば、画像表示部に赤外線センサー等の視線検知部を設けた上で、利用者の視線を検知し、視線の動きに対応付けられたコマンドによる操作入力を取得してもよい。例えば、カメラを用いて利用者のジェスチャーを検知し、ジェスチャーに対応付けられたコマンドによる操作入力を取得してもよい。ジェスチャー検知の際は、利用者の指先や、利用者の手に付けられた指輪や、利用者の手にする医療器具等を動き検出のための目印にすることができる。フットスイッチや視線による操作入力を取得可能とすれば、利用者が手を離すことが困難である作業においても、入力情報取得部は、利用者からの操作入力を取得することができる。
【０１１４】
図１４は、変形例におけるＨＭＤの外観の構成を示す説明図である。図１４（Ａ）の例の場合、画像表示部２０ｘは、右光学像表示部２６に代えて右光学像表示部２６ｘを備え、左光学像表示部２８に代えて左光学像表示部２８ｘを備えている。右光学像表示部２６ｘと左光学像表示部２８ｘとは、上記実施形態の光学部材よりも小さく形成され、ＨＭＤの装着時における利用者の右眼および左眼の斜め上にそれぞれ配置されている。図１４（Ｂ）の例の場合、画像表示部２０ｙは、右光学像表示部２６に代えて右光学像表示部２６ｙを備え、左光学像表示部２８に代えて左光学像表示部２８ｙを備えている。右光学像表示部２６ｙと左光学像表示部２８ｙとは、上記実施形態の光学部材よりも小さく形成され、ＨＭＤの装着時における利用者の右眼および左眼の斜め下にそれぞれ配置されている。このように、光学像表示部は利用者の眼の近傍に配置されていれば足りる。また、光学像表示部を形成する光学部材の大きさも任意であり、光学像表示部が利用者の眼の一部分のみを覆う態様、換言すれば、光学像表示部が利用者の眼を完全に覆わない態様のＨＭＤとして実現することもできる。
【０１１５】
例えば、ヘッドマウントディスプレイは、両眼タイプの透過型ヘッドマウントディスプレイであるものとしたが、単眼タイプのヘッドマウントディスプレイとしてもよい。また、利用者がヘッドマウントディスプレイを装着した状態において外景の透過が遮断される非透過型ヘッドマウントディスプレイとして構成してもよい。
【０１１６】
例えば、画像処理部、表示制御部、音声処理部等の機能部は、ＣＰＵがＲＯＭやハードディスクに格納されているコンピュータープログラムをＲＡＭに展開して実行することにより実現されるものとして記載した。しかし、これら機能部は、当該機能を実現するために設計されたＡＳＩＣ（Application Specific Integrated Circuit：特定用途向け集積回路）を用いて構成されてもよい。
【０１１７】
例えば、上記実施形態では、画像表示部を眼鏡のように装着するヘッドマウントディスプレイであるとしているが、画像表示部が通常の平面型ディスプレイ装置（液晶ディスプレイ装置、プラズマディスプレイ装置、有機ＥＬディスプレイ装置等）であるとしてもよい。この場合にも、制御部と画像表示部との間の接続は、有線の信号伝送路を介した接続であってもよいし、無線の信号伝送路を介した接続であってもよい。このようにすれば、制御部を、通常の平面型ディスプレイ装置のリモコンとして利用することもできる。
【０１１８】
また、画像表示部として、眼鏡のように装着する画像表示部に代えて、例えば帽子のように装着する画像表示部といった他の形状の画像表示部を採用してもよい。また、イヤホンは耳掛け型やヘッドバンド型を採用してもよく、省略してもよい。また、例えば、自動車や飛行機等の車両に搭載されるヘッドアップディスプレイ（ＨＵＤ、Head-Up Display）として構成されてもよい。また、例えば、ヘルメット等の身体防護具に内蔵されたヘッドマウントディスプレイとして構成されてもよい。
【０１１９】
例えば、上記実施形態では、表示駆動部は、バックライトと、バックライト制御部と、ＬＣＤと、ＬＣＤ制御部と、投写光学系を用いて構成されるものとした。しかし、上記の態様はあくまで例示である。表示駆動部は、これらの構成部と共に、またはこれらの構成部に代えて、他の方式を実現するための構成部を備えていてもよい。例えば、表示駆動部は、有機ＥＬ（有機エレクトロルミネッセンス、Organic Electro-Luminescence）のディスプレイと、有機ＥＬ制御部と、投写光学系とを備える構成としてもよい。例えば、表示駆動部は、ＬＣＤに代えてＤＭＤ（デジタル・マイクロミラー・デバイス）等を用いることもできる。例えば、表示駆動部は、ＲＧＢの各色光を発生させるための色光源とリレーレンズを含む信号光変調部と、ＭＥＭＳミラーを含む走査光学系と、これらを駆動する駆動制御回路と、を含むように構成されてもよい。このように、有機ＥＬやＤＭＤやＭＥＭＳミラーを用いても、「表示駆動部における射出領域」とは、表示駆動部から画像光が実際に射出される領域であることに変わりはなく、各デバイス（表示駆動部）における射出領域を上記実施形態と同様に制御することによって、上記実施形態と同様の効果を得ることができる。また、例えば、表示駆動部は、画素信号に応じた強度のレーザーを、利用者の網膜へ出射する１つ以上のレーザーを含むように構成されてもよい。この場合、「表示駆動部における射出領域」とは、表示駆動部から画像を表すレーザー光が実際に射出される領域を表す。レーザー（表示駆動部）におけるレーザー光の射出領域を上記実施形態と同様に制御することによって、上記実施形態と同様の効果を得ることができる。
【０１２０】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部または全部を解決するために、あるいは、上述の効果の一部または全部を達成するために、適宜、差し替えや組み合わせを行うことが可能である。また、その技術的特徴が本明細書中に必須なものとして説明されていなければ、適宜、削除することが可能である。
【符号の説明】
【０１２１】
１０…制御部（コントローラー）
１２…点灯部
１４…タッチパッド
１６…十字キー
１８…電源スイッチ
２０…画像表示部
２１…右保持部
２２…右表示駆動部
２３…左保持部
２４…左表示駆動部
２６…右光学像表示部
２８…左光学像表示部
３０…イヤホンプラグ
３２…右イヤホン
３４…左イヤホン
４０…接続部
４２…右コード
４４…左コード
４６…連結部材
４８…本体コード
５１…送信部
５２…送信部
５３…受信部
５４…受信部
６１…外景撮影用カメラ
１１０…入力情報取得部
１００…頭部装着型表示装置（ＨＭＤ）
１２０…記憶部
１３０…電源
１３２…無線通信部
１４０…ＣＰＵ
１６０…画像処理部
１６２…表示制御部
１６４…利用環境判定部
１６６…処理制御部
１７０…音声処理部
１８０…インターフェイス
２０１…右バックライト制御部
２０２…左バックライト制御部
２１１…右ＬＣＤ制御部
２１２…左ＬＣＤ制御部
２２１…右バックライト
２２２…左バックライト
２４１…右ＬＣＤ
２４２…左ＬＣＤ
２５１…右投写光学系
２５２…左投写光学系
２６１…右導光板
２６２…左導光板
５００…プラットフォーム
５１０…アプリケーション層
５１１…観戦補助アプリ
５１２…ゲームアプリ
５１３…カメラアプリ
５１４…コードリーダーアプリ
５２０…フレームワーク層
５３０…ライブラリー層
５３３…ディスプレイライブラリー
５３４…オーディオライブラリー
５３５…センサーライブラリー
５３６…カメラライブラリー
５３７…ライブラリー
５４０…カーネル層
５４２…音声ＩＣドライバー
５４３…センサードライバー
５４４…画像センサードライバー
５５０…ハードウェア層
５５２…音声ＩＣデバイス
５５３…センサーデバイス
５５４…画像センサーデバイス
６００、７００、８００…頭部装着型表示装置（ＨＭＤ）
６１０、７１０、７２０…ＢＬＥ端末
８２０…セキュリティールーム
【図１】
2019020738.tif 000003
【図２】
2019020738.tif 000004
【図３】
2019020738.tif 000005
【図４】
2019020738.tif 000006
【図５】
2019020738.tif 000007
【図６】
2019020738.tif 000008
【図７】
2019020738.tif 000009
【図８】
2019020738.tif 000010
【図９】
2019020738.tif 000011
【図１０】
2019020738.tif 000012
【図１１】
2019020738.tif 000013
【図１２】
2019020738.tif 000014
【図１３】
2019020738.tif 000015
【図１４】
2019020738.tif 000016
【手続補正書】
【提出日】平成30年9月26日(2018.9.26)
【手続補正１】
【補正対象書類名】特許請求の範囲
【補正対象項目名】全文
【補正方法】変更
【補正の内容】
【特許請求の範囲】
【請求項１】
透過型の頭部装着型表示装置であって、
画像を表示して前記頭部装着型表示装置を装着した利用者に画像を視認させるとともに、外景を透過し得る画像表示部と、
前記頭部装着型表示装置の利用環境を判定する利用環境判定部と、
前記判定された利用環境に応じて、前記頭部装着型表示装置に搭載された所定の機能の少なくとも一部を変更する処理制御部と、
を備え、
前記処理制御部は、
前記利用環境判定部によって所定の利用環境であると判定されたときに、所定のデータを取得して記憶部に保存し、
前記利用環境判定部によって前記所定の利用環境から外れたと判定されたときに、前記所定の利用環境で前記記憶部に保存された前記所定のデータを消去する、頭部装着型表示装置。
【請求項２】
透過型の頭部装着型表示装置であって、
画像を表示して前記頭部装着型表示装置を装着した利用者に画像を視認させるとともに、外景を透過し得る画像表示部と、
前記頭部装着型表示装置の利用環境を判定する利用環境判定部と、
前記判定された利用環境に応じて、前記頭部装着型表示装置に搭載された所定の機能の少なくとも一部を変更する処理制御部と、
を備え、
前記所定の機能は、前記画像表示部に所定の情報を表示させる情報提示機能である、頭部装着型表示装置。
【請求項３】
請求項２に記載の頭部装着型表示装置であって、
前記利用環境として、劇場内の特定の座席環境を少なくとも含み、
前記処理制御部は、
前記利用環境判定部によって前記特定の座席環境であると判定されたときに、前記劇場での上演作品に係わる情報を前記所定の情報として表示させる、頭部装着型表示装置。
【請求項４】
請求項２に記載の頭部装着型表示装置であって、
前記利用環境として、映画館内の特定の座席環境を少なくとも含み、
前記処理制御部は、
前記利用環境判定部によって前記特定の座席環境であると判定されたときに、字幕を前記所定の情報として表示させる、頭部装着型表示装置。
【請求項５】
請求項４に記載の頭部装着型表示装置であって、
前記映画館内の特定の座席環境として、第１の座席環境と第２の座席環境とを有し、
前記処理制御部は、
前記利用環境判定部によって前記第１の座席環境であると判定されたときに、第１の言語にて記した前記字幕を表示させ、前記利用環境判定部によって前記第２の座席環境であると判定されたときに、前記第１の言語とは相違する第２の言語にて記した前記字幕を表示させる、頭部装着型表示装置。
【請求項６】
透過型の頭部装着型表示装置であって、
画像を表示して前記頭部装着型表示装置を装着した利用者に画像を視認させるとともに、外景を透過し得る画像表示部と、
前記頭部装着型表示装置の利用環境を判定する利用環境判定部と、
前記判定された利用環境に応じて、前記頭部装着型表示装置に搭載された所定の機能の少なくとも一部を変更する処理制御部と、
を備え、
前記利用環境として、高レベルのセキュリティーを必要とするセキュリティー環境を少なくとも含み、
前記処理制御部は、
前記利用環境判定部によって前記セキュリティー環境であると判定されたときに、所定のアプリケーションの実行を許可し、
前記利用環境判定部によって前記セキュリティー環境でないと判定されたときに、前記所定のアプリケーションの実行を禁止する、頭部装着型表示装置。
【請求項７】
請求項１から請求項６までのいずれか一項に記載の頭部装着型表示装置であって、
前記利用環境は、前記頭部装着型表示装置が移動することによって切り替わる利用環境である、頭部装着型表示装置。
【請求項８】
請求項１から請求項７までのいずれか一項に記載の頭部装着型表示装置であって、
撮影を行う撮影部を備え、
前記利用環境判定部は、
前記撮影部によって得られた撮影画像に基づいて、前記利用環境を判定する、頭部装着型表示装置。
【請求項９】
請求項８に記載の頭部装着型表示装置であって、
前記利用環境判定部は、
前記撮影部によって得られた撮影画像内に、特定の利用環境を認識するためのマーカーが含まれたときに、前記特定の利用環境であると判定する、頭部装着型表示装置。
【請求項１０】
請求項１から請求項７までのいずれか一項に記載の頭部装着型表示装置であって、
前記利用環境判定部は、
外部の無線通信端末からの信号に基づいて、前記利用環境を判定する、頭部装着型表示装置。
【請求項１１】
画像を表示して利用者に画像を視認させるとともに外景を透過し得る画像表示部を有する透過型の頭部装着型表示装置の制御方法であって、
前記頭部装着型表示装置の利用環境を判定する工程と、
前記判定された利用環境に応じて、前記頭部装着型表示装置に搭載された所定の機能の少なくとも一部を変更する工程と、
を備え、
前記所定の機能の少なくとも一部を変更する工程は、
前記頭部装着型表示装置の利用環境が所定の利用環境であると判定されたときに、所定のデータを取得して記憶部に保存し、
前記頭部装着型表示装置の利用環境が前記所定の利用環境から外れたと判定されたときに、前記所定の利用環境で前記記憶部に保存された前記所定のデータを消去する、頭部装着型表示装置の制御方法。
【請求項１２】
画像を表示して利用者に画像を視認させるとともに外景を透過し得る画像表示部を有する透過型の頭部装着型表示装置の制御方法であって、
前記頭部装着型表示装置の利用環境を判定し、
前記判定された利用環境に応じて、前記頭部装着型表示装置に搭載された所定の機能の少なくとも一部を変更し、
前記所定の機能は、前記画像表示部に所定の情報を表示させる情報提示機能である、頭部装着型表示装置の制御方法。
【請求項１３】
画像を表示して利用者に画像を視認させるとともに外景を透過し得る画像表示部を有する透過型の頭部装着型表示装置の制御方法であって、
前記頭部装着型表示装置の利用環境を判定する工程と、
前記判定された利用環境に応じて、前記頭部装着型表示装置に搭載された所定の機能の少なくとも一部を変更する工程と、
を備え、
前記利用環境として、高レベルのセキュリティーを必要とするセキュリティー環境を少なくとも含み、
前記所定の機能の少なくとも一部を変更する工程は、
前記頭部装着型表示装置の利用環境が前記セキュリティー環境であると判定されたときに、所定のアプリケーションの実行を許可し、
前記頭部装着型表示装置の利用環境が前記セキュリティー環境でないと判定されたときに、前記所定のアプリケーションの実行を禁止する、頭部装着型表示装置の制御方法。
【請求項１４】
画像を表示して利用者に画像を視認させるとともに外景を透過し得る画像表示部を有する透過型の頭部装着型表示装置を制御するためのコンピュータープログラムであって、
コンピューターに、
前記頭部装着型表示装置の利用環境を判定する機能と、
前記判定された利用環境に応じて、前記頭部装着型表示装置に搭載された所定の機能の少なくとも一部を変更する機能と、
を実現させ、
前記所定の機能の少なくとも一部を変更する機能は、
前記頭部装着型表示装置の利用環境が所定の利用環境であると判定されたときに、所定のデータを取得して記憶部に保存し、
前記頭部装着型表示装置の利用環境が前記所定の利用環境から外れたと判定されたときに、前記所定の利用環境で前記記憶部に保存された前記所定のデータを消去する、コンピュータープログラム。
【請求項１５】
画像を表示して利用者に画像を視認させるとともに外景を透過し得る画像表示部を有する透過型の頭部装着型表示装置を制御するためのコンピュータープログラムであって、
コンピューターに、
前記頭部装着型表示装置の利用環境を判定する機能と、
前記判定された利用環境に応じて、前記頭部装着型表示装置に搭載された所定の機能の少なくとも一部を変更する機能と、
を実現させ、
前記所定の機能は、前記画像表示部に所定の情報を表示させる情報提示機能である、コンピュータープログラム。
【請求項１６】
画像を表示して利用者に画像を視認させるとともに外景を透過し得る画像表示部を有する透過型の頭部装着型表示装置を制御するためのコンピュータープログラムであって、
コンピューターに、
前記頭部装着型表示装置の利用環境を判定する機能と、
前記判定された利用環境に応じて、前記頭部装着型表示装置に搭載された所定の機能の少なくとも一部を変更する機能と、
を実現させ、
前記利用環境として、高レベルのセキュリティーを必要とするセキュリティー環境を少なくとも含み、
前記所定の機能の少なくとも一部を変更する機能は、
前記頭部装着型表示装置の利用環境が前記セキュリティー環境であると判定されたときに、所定のアプリケーションの実行を許可し、
前記頭部装着型表示装置の利用環境が前記セキュリティー環境でないと判定されたときに、前記所定のアプリケーションの実行を禁止する、コンピュータープログラム。
【手続補正２】
【補正対象書類名】明細書
【補正対象項目名】０００５
【補正方法】変更
【補正の内容】
【０００５】
本発明は、上述の課題の少なくとも一部を解決するためになされたものであり、以下の形態として実現することが可能である。
本発明の一形態は、透過型の頭部装着型表示装置である。この頭部装着型表示装置は、画像を表示して前記頭部装着型表示装置を装着した利用者に画像を視認させるとともに、外景を透過し得る画像表示部と、前記頭部装着型表示装置の利用環境を判定する利用環境判定部と、前記判定された利用環境に応じて、前記頭部装着型表示装置に搭載された所定の機能の少なくとも一部を変更する処理制御部と、を備え、前記処理制御部は、前記利用環境判定部によって所定の利用環境であると判定されたときに、所定のデータを取得して記憶部に保存し、前記利用環境判定部によって前記所定の利用環境から外れたと判定されたときに、前記所定の利用環境で前記記憶部に保存された前記所定のデータを消去する。
この形態の頭部装着型表示装置によれば、利用者に装着された頭部装着型表示装置の利用環境に応じて、頭部装着型表示装置に搭載された所定の機能の少なくとも一部を変更してもよい。このために、利用環境に応じて、頭部装着型表示装置に搭載された所定の機能の少なくとも一部が抑制または拡張するといった変更がなされる。したがって、本形態の頭部装着型表示装置によれば、利用環境に対応した機能を容易に実現できる。また、この形態の頭部装着型表示装置によれば、所定の利用環境で保存された所定のデータを、所定の利用環境から外れたときに、消去できる。このために、この形態の頭部装着型表示装置によれば、所定のデータの利用範囲を所定の利用環境下に制限することができることから、セキュリティーの向上を図ることができる。
本発明の他の一形態は、透過型の頭部装着型表示装置である。この頭部装着型表示装置は、画像を表示して前記頭部装着型表示装置を装着した利用者に画像を視認させるとともに、外景を透過し得る画像表示部と、前記頭部装着型表示装置の利用環境を判定する利用環境判定部と、前記判定された利用環境に応じて、前記頭部装着型表示装置に搭載された所定の機能の少なくとも一部を変更する処理制御部と、を備える。前記所定の機能は、前記画像表示部に所定の情報を表示させる情報提示機能である。
この形態の頭部装着型表示装置によれば、利用者に装着された頭部装着型表示装置の利用環境に応じて、頭部装着型表示装置に搭載された所定の機能の少なくとも一部を変更してもよい。このために、利用環境に応じて、頭部装着型表示装置に搭載された所定の機能の少なくとも一部が抑制または拡張するといった変更がなされる。したがって、本形態の頭部装着型表示装置によれば、利用環境に対応した機能を容易に実現できる。また、この形態の頭部装着型表示装置によれば、画像表示部に所定の情報を表示させる情報提示機能を抑制または拡張することができる。したがって、その場にふさわしい情報提示を容易に行うことができる。
本発明の他の一形態は、透過型の頭部装着型表示装置である。この頭部装着型表示装置は、画像を表示して前記頭部装着型表示装置を装着した利用者に画像を視認させるとともに、外景を透過し得る画像表示部と、前記頭部装着型表示装置の利用環境を判定する利用環境判定部と、前記判定された利用環境に応じて、前記頭部装着型表示装置に搭載された所定の機能の少なくとも一部を変更する処理制御部と、を備える。前記利用環境として、高レベルのセキュリティーを必要とするセキュリティー環境を少なくとも含む。前記処理制御部は、前記利用環境判定部によって前記セキュリティー環境であると判定されたときに、所定のアプリケーションの実行を許可し、前記利用環境判定部によって前記セキュリティー環境でないと判定されたときに、前記所定のアプリケーションの実行を禁止する。
この形態の頭部装着型表示装置によれば、利用者に装着された頭部装着型表示装置の利用環境に応じて、頭部装着型表示装置に搭載された所定の機能の少なくとも一部を変更してもよい。このために、利用環境に応じて、頭部装着型表示装置に搭載された所定の機能の少なくとも一部が抑制または拡張するといった変更がなされる。したがって、本形態の頭部装着型表示装置によれば、利用環境に対応した機能を容易に実現できる。また、この形態の頭部装着型表示装置によれば、高レベルのセキュリティーを必要とするセキュリティー環境に移行したときに、所定のアプリケーションの実行が許可され、前記セキュリティー環境にないときには、前記所定のアプリケーションの実行が禁止される。したがって、セキュリティー環境に応じて、所定のアプリケーションの実行の許可／禁止を容易に切り替えることができる。
その他、本発明は、以下の形態としても実現することが可能である。
【手続補正３】
【補正対象書類名】明細書
【補正対象項目名】００１８
【補正方法】変更
【補正の内容】
【００１８】
（１３）前記形態の頭部装着型表示装置において、前記映画館内の特定の座席環境として、第１の座席環境と第２の座席環境とを有し、前記処理制御部は、前記利用環境判定部によって前記第１の座席環境であると判定されたときに、第１の言語にて記した前記字幕を表示させ、前記利用環境判定部によって前記第２の座席環境であると判定されたときに、前記第１の言語とは相違する第２の言語にて記した前記字幕を表示させるようにしてもよい。この形態の頭部装着型表示装置によれば、映画館内の第１の座席環境に移行したときに第１の言語によって字幕を受けることができ、映画館内の第２の座席環境に移行したときに第２の言語によって字幕を受けることができる。したがって、座席環境に応じて、字幕の言語を容易に切り替えることができる。
【手続補正４】
【補正対象書類名】明細書
【補正対象項目名】００６６
【補正方法】変更
【補正の内容】
【００６６】
ＨＭＤ１００を装着した利用者は、スタジアム内において、コードリーダーアプリ５１４を起動して、入場時に提示したチケットＴＣに視線を向ける。コードリーダーアプリ５１４は、ＨＭＤ１００の待ち受け画面（図３参照）に配置された［コードリーダー］アイコンＩＣを選択する所定の操作を入力情報取得部１１０が受け付けることによって起動される。コードリーダーアプリ５１４を実行するＨＭＤ１００は、外景撮影用カメラ６１によって撮影を行い、得られた撮影画像の中にＱＲコードが含まれる場合に、そのＱＲコードを元の情報に復元し、その元情報を表示する。すなわち、ＣＰＵ１４０は、撮影画像の中にＱＲコードが含まれる場合に、ＱＲコードとしてコード化された情報を画像表示部２０に表示させる。
【手続補正５】
【補正対象書類名】明細書
【補正対象項目名】００６７
【補正方法】変更
【補正の内容】
【００６７】
図６は、サッカー観戦用のチケットＴＣに視線を向けてＱＲコードＣ３の読み取りがなされたときに、利用者に視認される情報の一例を示す説明図である。図６では、利用者の視野ＶＲ１を例示している。視野ＶＲ１には、図示するように、スタジアム内の外景ＳＣ１が含まれている。また、外景ＳＣ１に重畳して、コード情報表示領域ＡＲ１が表示される。コード情報表示領域ＡＲ１には、ＱＲコードＣ３の元情報である観戦補助アプリ起動情報Ｄ１と座席情報Ｄ２が含まれる。
【手続補正６】
【補正対象書類名】明細書
【補正対象項目名】００６８
【補正方法】変更
【補正の内容】
【００６８】
利用者は、観戦補助アプリ起動情報Ｄ１を選択する所定の操作を、タッチパッド１４や十字キー１６を用いて行う。その所定の操作を入力情報取得部１１０が受け付けることによって、ＨＭＤ１００は、観戦補助アプリ５１１（図４）を起動することができる。具体的には、ＨＭＤ１００は、観戦補助アプリ起動情報Ｄ１に記されたＵＲＬを辿って観戦補助アプリをインストールし、インストールされた観戦補助アプリ５１１（図４）を起動する。なお、観戦補助アプリ５１１は、予め内蔵された構成としてもよい。なお、本実施形態では、ＱＲコードＣ３は、サッカー観戦用のチケットＴＣに記したものとしたが、これに換えて、スタジアム内の各座席に予め貼り付けた構成としてもよい。すなわち、各座席には、各座席に対応した座席情報Ｄ２を有するＱＲコードをそれぞれ貼り付けた構成とすることができる。
【手続補正７】
【補正対象書類名】明細書
【補正対象項目名】００７０
【補正方法】変更
【補正の内容】
【００７０】
処理が開始されると、ＣＰＵ１４０は、まず、ＱＲコードＣ３を読み取ることによって得られた、前述したにコード化された座席情報Ｄ２を、記憶部１２０（図２）の所定のエリアに記憶する（ステップＳ１１０）。なお、観戦補助アプリ５１１を起動するに際し、ＱＲコードＣ３の読み取りを行わなかった場合には、座席情報Ｄ２をタッチパッド１４や十字キー１６を用いて入力するようにしてもよい。
【手続補正８】
【補正対象書類名】明細書
【補正対象項目名】００８２
【補正方法】変更
【補正の内容】
【００８２】
処理が開始されると、ＨＭＤ６００のＣＰＵは、まず、ＢＬＥ端末６１０からｉＢｅａｃｏｎの信号を感知したか否かを判定する（ステップＳ２１０）。ＣＰＵ１４０は、ｉＢｅａｃｏｎの信号を感知するまでステップＳ２１０の処理を繰り返し実行し、ステップＳ２１０で感知されたと判定されると、感知した信号に保持される距離が所定値（例えば、７ｍ）未満であるか否かを判定する（ステップＳ２２０）。距離が所定値未満であるか否かの判定は、ＨＭＤ６００を装着した利用者の座席が、劇場の後部側の所定範囲に含まれるか否かを判定するためのものである。すなわち、距離が所定値未満であるか否かの判定は、ＨＭＤ６００の利用環境が後部座席という座席環境にあるか否かを判定する。ここで、距離が所定値未満でないと判定された場合、ＣＰＵ１４０は、ステップＳ２１０に処理を戻す。
【手続補正９】
【補正対象書類名】明細書
【補正対象項目名】００８３
【補正方法】変更
【補正の内容】
【００８３】
ステップＳ２２０で、距離が所定値未満であると判定された場合には、ＨＭＤ６００の利用環境が後部座席の環境に移行したとして、ＣＰＵ１４０は、アプリケーション層５１０（図４）に含まれる音声処理部フレーム５２３とカメラアプリ５１３とをロックする（ステップＳ２３０、Ｓ２４０）。音声処理部フレーム５２３は、ＨＭＤ６００の音声の出力の全てを担うために、音声処理部フレーム５２３がロックされることで、ＨＭＤ６００からの音声の出力は全て消される（ミュートされる）。
【手続補正１０】
【補正対象書類名】明細書
【補正対象項目名】００８４
【補正方法】変更
【補正の内容】
【００８４】
一方、外景撮影用カメラ６１を用いた撮影機能については、カメラアプリ５１３以外にも、アプリケーション層５１０に含まれる他のアプリによるマーカー認識処理（第１実施形態におけるＱＲコードを認識する処理等）にも含まれるが、本実施形態では、カメラアプリ５１３による撮影は禁止され、マーカー認識処理に従う撮影は禁止されることはない（すなわち、許可される）。すなわち、本実施形態では、盗撮を目的として利用可能なカメラアプリ５１３による撮影を禁止し、盗撮として利用できないマーカー認識処理に従う撮影は許可するようにした。なお、変形例として、ライブラリー層５３０に含まれるカメラライブラリー５３６をロックして、全ての撮影を禁止するようにしてもよい。
【手続補正１１】
【補正対象書類名】明細書
【補正対象項目名】００８９
【補正方法】変更
【補正の内容】
【００８９】
映画館内の第１の位置には第１のＢＬＥ端末７１０が配置されており、映画館内の第１の位置とは相違する第２の位置には第２のＢＬＥ端末７２０が配置されている。各ＢＬＥ端末７１０、７２０からｉＢｅａｃｏｎの信号が出力される。ｉＢｅａｃｏｎの信号には、ＢＬＥ端末７１０、７２０を識別するためのＢＬＥ端末識別番号と、各ＢＬＥ端末７１０、７２０までの距離とが少なくとも保持される。ＨＭＤ７００を装着した利用者は、映画館内に入ると、まず、映画鑑賞補助アプリを起動する。
【手続補正１２】
【補正対象書類名】明細書
【補正対象項目名】００９１
【補正方法】変更
【補正の内容】
【００９１】
処理が開始されると、ＨＭＤ７００のＣＰＵは、まず、２つのＢＬＥ端末７１０、７２０のうちの少なくとも一方から、ｉＢｅａｃｏｎの信号を感知したか否かを判定する（ステップＳ３１０）。ＣＰＵ１４０は、ｉＢｅａｃｏｎの信号を感知するまでステップＳ３１０の処理を繰り返し実行し、ステップＳ３１０で感知されたと判定されると、感知した信号に保持される距離が所定値（例えば、５ｍ）未満であるか否かを判定する（ステップＳ３２０）。なお、複数のｉＢｅａｃｏｎの信号を感知した場合には、保持される距離が短い方の信号を上記「感知した信号」とみなす。距離が所定値未満であるか否かの判定は、ＨＭＤ７００を装着した利用者の座席が、第１のＢＬＥ端末７１０が配置された第１の位置を中心とする、半径が前記所定値である第１の範囲Ｅ１と、第２のＢＬＥ端末７２０が配置された第２の位置を中心とする、半径が前記所定値である第２の範囲Ｅ２とのいずれか一方に含まれるか否かを判定するためのものである。すなわち、距離が所定値未満であるか否かの判定は、ＨＭＤ７００の利用環境が第１の範囲Ｅ１または第２の範囲Ｅ２に含まれるか否かを判定する。ここで、距離が所定値未満でないと判定された場合、ＣＰＵ１４０は、ステップＳ３１０に処理を戻す。
【手続補正１３】
【補正対象書類名】明細書
【補正対象項目名】００９２
【補正方法】変更
【補正の内容】
【００９２】
ステップＳ３２０で、距離が所定値未満であると判定された場合には、ＨＭＤ７００の利用環境が第１の範囲Ｅ１または第２の範囲Ｅ２に含まれる環境に移行したとして、ＣＰＵ１４０は、アプリケーション層５１０（図４）に含まれる音声処理部フレーム５２３とカメラアプリ５１３とをロックする（ステップＳ３３０、Ｓ３４０）。このステップＳ３３０およびＳ３４０は、第２実施形態のステップＳ２３０およびＳ２４０（図１０）と同一である。
【手続補正１４】
【補正対象書類名】明細書
【補正対象項目名】００９３
【補正方法】変更
【補正の内容】
【００９３】
ステップＳ３３０の実行後、ＣＰＵ１４０は、感知した信号に保持されるＢＬＥ端末識別番号に対応した言語の字幕の表示を開始する（ステップＳ３５０）。本実施形態では、映画館内の第１の範囲Ｅ１では字幕を日本語で表示し、映画館内の第２の範囲Ｅ２では字幕を中国語で表示するように、予め定められていう。このため、ステップＳ３５０では、感知した信号に保持されるＢＬＥ端末識別番号が第１のＢＬＥ端末７１０を示すものであるときには、日本語の字幕の表示を開始し、感知した信号に保持されるＢＬＥ端末識別番号が第２のＢＬＥ端末７１０を示すものであるときには、中国語の字幕の表示を開始する。ステップＳ３５０の実行後、鑑賞補助ルーチンを終了するが、上記の開始された字幕の表示は、上映が終了するまで継続される。
【手続補正１５】
【補正対象書類名】明細書
【補正対象項目名】００９６
【補正方法】変更
【補正の内容】
【００９６】
Ｄ．第４実施形態：
図１３は、本発明の第４実施形態に係るＨＭＤの使用形態を示す説明図である。第４実施形態に係るＨＭＤ８００は、第１実施形態に係るＨＭＤ１００と比較して、アプリ実行制限アプリケーションを備える点が相違し、残余の点では同一である。第４実施形態に係るＨＭＤ８００は、高レベルのセキュリティーを必要とするセキュリティールーム８２０を含むオフィス８１０において使用される。セキュリティールーム８２０の中央には、ＢＬＥ端末８３０が設けられている。ＢＬＥ端末８３０とＨＭＤ８００との間の距離か所定値（例えば、５ｍ）未満となったときに、ＨＭＤ８００を装着した利用者がセキュリティールーム８２０に入ったものとみなす。ＨＭＤ８００は、ＢＬＥ端末８３０からの距離が所定値未満と判定されたときに、所定のアプリケーションプログラムの実行を許可するとともに、所定のネットワークへの接続を許可するようにする。一方、ＢＬＥ端末８３０からの距離が所定値以上と判定されたとき、またはＢＬＥ端末８３０からのｉＢｅａｃｏｎの信号を感知できなかったときには、前記所定のアプリケーションプログラムの実行を禁止するとともに、所定のネットワークへの接続を禁止する。
【手続補正１６】
【補正対象書類名】明細書
【補正対象項目名】０１００
【補正方法】変更
【補正の内容】
【０１００】
具体的には、例えば、電車の中、車の中、飛行機の中などのパブリックスペースへの移行が検出されたときに、カメラアプリ５１３がロックされる構成として、盗撮防止を図るようにしてもよい。例えば、会社への移動が検出されたときに、業務用のアプリケーションプログラムの実行を許可するようにしてもよい。例えば、航空機の中という環境では、妨害電波の基となる携帯電話、無線ＬＡＮの使用を禁止し、航空機の電子機器への影響の少ないＢｌｕｅｔｏｏｔｈ、ｉＢｅａｃｏｎを利用可能とするようにしてもよい。例えば、ＨＭＤの利用環境が特定の国であることがＧＰＳ等によって検出されたときに、その国に応じて定められた機能を変更するようにしてもよい。例えば、ＨＭＤにおける使用言語を変更すること、ＨＭＤにおいて表示される長さ、質量などの使用単位を変更すること、ＨＭＤの無線機器の出力制限を変更すること等を行うことができる。
【手続補正１７】
【補正対象書類名】明細書
【補正対象項目名】０１０８
【補正方法】変更
【補正の内容】
【０１０８】
Ｅ−４．変形例４：
上記各実施形態では、機能を変更する方法として、アプリケーション層５１０に含まれる要素、（例えば、カメラアプリ５１３）を変更したり、フレームワーク層５２０に含まれる要素、例えば、音声処理部フレーム５２３）を変更していたが、これらに換えて、ライブラリー層５３０に含まれる要素を変更したり、カーネル層５４０に含まれる要素を変更したり、ハードウェア層５５０に含まれる要素を変更したりしてもよい。